(57)【特許請求の範囲】
【請求項１】
ネットワークに、コンテンツを提供するコンテンツ提供装置及び前記ネットワークを通して提供される前記広告を含むコンテンツを視聴したとき、少なくともその視聴したアクセス先を含むコンテンツ情報とコンテンツの視聴時間と視聴者個人情報とを組込んだコンテンツ視聴情報を生成し出力するエージェント機能を搭載した視聴者装置が接続され、前記コンテンツ提供装置に対してコンテンツ買付けのためのコンテンツを評価分析する電子商品流通システムであって、
前記ネットワークを通して前記多数の視聴者装置と接続されるコンテンツ評価装置と、当該コンテンツ評価装置に接続されるコンテンツ買付装置とを備え、
前記コンテンツ評価装置は、各視聴者装置から出力されるコンテンツ視聴情報を受信し蓄積装置に記憶し、かつ、これらコンテンツ視聴情報から各コンテンツの視聴状況を集計し当該蓄積装置に記憶する保存管理処理手段と、前記コンテンツ買付装置からコンテンツ買付け要求を受信したとき、その要求内容に応じて少なくとも評価手法、評価項目及び報告形式に関する情報を取り出し、あるいは自ら定めた評価手法、評価項目及び報告形式に関する情報を前記蓄積装置に記憶する評価／分析管理処理手段と、この評価／分析管理処理手段から評価分析処理の開始指示を受け取ると、前記集計された各コンテンツに対し、前記蓄積装置に記憶される評価手法、評価項目に従って評価分析し、この優良コンテンツのコンテンツ情報を含む評価分析結果を出力するデータ分析処理手段と、このデータ分析処理手段から出力された評価分析結果を前記蓄積装置に記憶されている報告形式に従って報告形式データに作成し、前記コンテンツ買付装置に送信するデータ報告処理手段とを設け、
前記コンテンツ買付装置は、コンテンツの基本となる購入価格を決定するための各種のパラメータ情報を前記蓄積装置に記憶する保存管理処理手段と、前記コンテンツ評価装置に対してコンテンツの買付け要求に基づき、あるいは当該コンテンツ評価装置から任意に送られてくる前記報告形式データに記載される評価分析結果に基づき、優良コンテンツのコンテンツ情報と前記蓄積装置から必要なパラメータ情報を読み出して当該優良コンテンツの優良度等を考慮して購入価格を決定する購買判定処理手段と、この優良コンテンツの購入価格を決定した後、優良コンテンツのコンテンツ情報及び購入価格を記述した注文データを作成し、この注文データを前記コンテンツ提供装置に送信し、当該注文データに対する購入価格の変更を含む回答データからコンテンツ買付け契約を成立させ、前記コンテンツ提供装置から優良コンテンツに関するコンテンツ及びコンテンツ情報を取得し前記蓄積装置に記憶する手段とを設けたことを特徴とする電子商品流通システム。
【請求項２】
請求項１に記載の電子商品流通システムにおいて、
前記ネットワークを通して視聴者装置に接続され、かつ、前記コンテンツ買付装置及び前記コンテンツ評価装置に接続されるコンテンツ配信装置をさらに備え、
前記コンテンツ配信装置は、前記コンテンツ買付装置から送信されてくるコンテンツ及びコンテンツ情報を受信し前記蓄積装置に記憶する記憶手段と、この受信された前記コンテンツ及びコンテンツ情報に基づき、前記コンテンツ評価装置に対して当該コンテンツ及び広告の視聴に関するコンテンツ視聴統計情報を要求し取得するコンテンツ処理手段と、前記受信されたコンテンツ及びコンテンツ情報に基づき、当該コンテンツ情報と前記コンテンツ視聴情報とを用いて広告枠を含む仮番組編成データを生成し、前記蓄積装置に記憶する番組編成データ生成手段と、番組編成データ生成手段により生成された広告枠を含む仮番組編成データに基づいて番組案内データを作成し、前記視聴者装置に提供するとともに前記蓄積装置に記憶する番組案内データ生成登録手段と、提供した前記視聴者装置から視聴者が選択した番組のコンテンツ選択情報を受信し、前記蓄積装置に記憶する番組選択情報受信手段とを設けたことを特徴とする電子商品流通システム。
【請求項３】
請求項１に記載の電子商品流通システムにおいて、
前記ネットワークを通して視聴者装置に接続され、かつ、前記コンテンツ買付装置及び前記コンテンツ評価装置に接続されるコンテンツ配信装置と、このコンテンツ配信装置に接続される広告取得処理装置とを備え、
前記コンテンツ配信装置は、前記コンテンツ買付装置から送信されてくるコンテンツ及びコンテンツ情報を受信し前記蓄積装置に記憶する記憶手段と、この受信された前記コンテンツ及びコンテンツ情報に基づき、前記コンテンツ評価装置に対して当該コンテンツ及び広告の視聴に関するコンテンツ視聴情報を要求し取得するコンテンツ処理手段と、前記受信されたコンテンツ及びコンテンツ情報に基づき、当該コンテンツ情報と前記コンテンツ視聴情報とを用いて広告枠を考慮した仮番組編成データを生成し前記蓄積装置に記憶するとともに、当該広告枠情報を前記広告取得処理装置に提供し、当該広告取得処理装置から広告コンテンツ及び広告コンテンツ情報を受けたとき、仮番組編成の広告枠の中に広告を挿入したコンテンツを組込んだ配信制御情報を作成し前記蓄積装置に記憶する番組編成データ生成手段と、この番組編成データ生成手段により生成された配信制御情報に従って広告挿入のコンテンツを前記視聴者装置に提供し、この提供した前記視聴者装置から視聴者が選択した番組のコンテンツ選択情報を受信し、前記蓄積装置に記憶する配信制御手段と、この配信後、前記コンテンツ評価装置に対してコンテンツ及び広告の視聴に関する視聴統計情報と視聴に関する課金情報を要求取得し、視聴回数を考慮しつつ視聴者、広告提供者及びコンテンツ提供者に対する課金計算を実施し、前記広告取得処理装置、前記コンテンツ買付装置、視聴者装置に課金分配する課金情報取得手段とを設け、
前記広告取得処理装置は、前記コンテンツ配信装置の番組編成データ生成手段から送信される広告枠情報を受信し前記蓄積装置に記憶するとともに、前記ネットワークに接続される広告提供装置に提供する広告情報提供手段と、広告枠情報を提供後、前記広告提供装置から広告を入れる広告枠の購入決定情報を取得した後、当該広告提供装置から送られてくる広告料金、広告コンテンツやコンテンツ情報を受信し前記蓄積装置に記憶するとともに、前記広告コンテンツや広告コンテンツ情報を前記コンテンツ配信装置に送信する広告転送手段とを設けたことを特徴とする電子商品流通システム。
【請求項４】
ネットワークに、広告を含むコンテンツを提供するコンテンツ提供装置と、当該コンテンツ提供装置にアクセスしたときに前記ネットワークを介して提供される前記広告を含むコンテンツを視聴し、少なくともその視聴したアクセス先を含むコンテンツ情報とコンテンツの視聴時間と視聴者個人情報とを組込んだコンテンツ視聴情報を生成し出力するエージェント機能を搭載した視聴者装置と、広告提供装置と電子商品流通システムとが接続され、
前記電子商品流通システムは、コンテンツ評価装置、コンテンツ買付装置及びコンテンツ配信装置を備え、コンテンツ、広告等の電子商品を流通する電子商品流通方法であって、
前記コンテンツ評価装置が、各視聴者装置から出力されるコンテンツ視聴情報を受信し蓄積装置に記憶し、かつ、これらコンテンツ視聴情報から各コンテンツの視聴状況を集計する保存管理処理ステップと、前記コンテンツ買付装置からコンテンツ買付け要求を受信したとき、その要求内容に応じて少なくとも評価手法、評価項目及び報告形式に関する情報を取り出し、あるいは自ら定めた評価手法、評価項目及び報告形式に関する情報を前記蓄積装置に記憶する評価／分析管理処理ステップと、このステップによる処理終了後に評価分析処理の開始指示を受けたとき、前記集計された各コンテンツに対し、前記蓄積装置に記憶される評価手法、評価項目に従って評価分析し、この優良コンテンツのコンテンツ情報を含む評価分析結果を出力するデータ分析処理ステップと、このデータ分析処理ステップにより出力された評価分析結果を、前記蓄積装置に記憶される報告形式に従って報告形式データに作成し、前記コンテンツ買付装置に送信するデータ報告処理ステップとを有し、
前記コンテンツ買付装置が、コンテンツの基本となる購入価格を決定するための各種のパラメータ情報を前記蓄積装置に記憶する保存管理処理ステップと、前記コンテンツ評価装置に対してコンテンツの買付け要求に基づき、あるいは当該コンテンツ評価装置から任意に送られてくる前記報告形式データを受け取ると、当該報告形式データに記載される評価分析結果に基づき、優良コンテンツのコンテンツ情報と前記蓄積装置から必要なパラメータ情報を読み出して当該優良コンテンツの優良度等を考慮して購入価格を決定する購買判定処理ステップと、この優良コンテンツの購入価格を決定した後、優良コンテンツのコンテンツ情報及び購入価格を記述した注文データを作成し、この注文データを前記コンテンツ提供装置に送信し、当該注文データに対する購入価格の変更を含む回答データからコンテンツ買付け契約を成立させ、前記コンテンツ提供装置から優良コンテンツに関するコンテンツ及びコンテンツ情報を取得し前記蓄積装置に記憶するステップとを有することを特徴とする電子商品流通方法。
【請求項５】
請求項４に記載の電子商品流通システムにおいて、
前記コンテンツ配信装置が、前記コンテンツ買付装置から送信されてくるコンテンツ及びコンテンツ情報を受信し前記蓄積装置に保存する保存ステップと、この受信された前記コンテンツ及びコンテンツ情報に基づき、前記コンテンツ評価装置に対して当該コンテンツ及び広告の視聴に関するコンテンツ視聴情報を要求し取得するコンテンツ処理ステップと、前記受信されたコンテンツ及びコンテンツ情報に基づき、当該コンテンツ情報と前記コンテンツ視聴情報とを用いて広告枠を考慮した仮番組編成データを生成し前記蓄積装置に記憶するとともに、当該広告枠情報を前記広告取得処理装置に提供する広告枠提供ステップとを有し、
前記広告取得処理装置が、前記コンテンツ配信装置の広告枠提供ステップから送信される広告枠情報を受信し前記蓄積装置に記憶するとともに、前記ネットワークに接続される広告提供装置に提供する広告情報提供ステップと、広告枠情報を提供後、前記広告提供装置から広告を入れる広告枠の購入決定情報を取得した後、当該広告提供装置から送られてくる広告料金、広告コンテンツや広告コンテンツ情報を受信し前記蓄積装置に記憶するとともに、前記広告コンテンツやコンテンツ情報を前記コンテンツ配信装置に送信する広告転送ステップと、
また、前記コンテンツ配信装置が、前記広告取得処理装置から広告コンテンツ及び広告コンテンツ情報を受けたとき、仮番組編成の広告枠の中に広告を挿入したコンテンツを組込んだ配信制御情報を作成し前記蓄積装置に記憶する番組編成データ生成ステップと、この番組編成データ生成ステップにより生成された配信制御情報に従って広告挿入のコンテンツを前記視聴者装置に提供し、この提供した前記視聴者装置から視聴者が選択した番組のコンテンツ選択情報を受信し、前記蓄積装置に記憶する配信制御ステップと、この配信後、前記コンテンツ評価装置に対してコンテンツ及び広告の視聴に関する視聴統計情報と視聴に関する課金情報を要求取得し、視聴回数を考慮しつつ視聴者、広告提供者及びコンテンツ提供者に対する課金計算を実施し、前記広告取得処理装置、前記コンテンツ買付装置、視聴者装置に課金分配する課金情報取得ステップとを有することを特徴とする電子商品流通方法。
【請求項６】
ネットワークに、広告を含むコンテンツを提供するコンテンツ提供装置と、当該コンテンツ提供装置にアクセスしたときに前記ネットワークを介して提供される前記広告を含むコンテンツを視聴し、少なくともその視聴したアクセス先を含むコンテンツ情報とコンテンツの視聴時間とを組込んだコンテンツ視聴情報を生成し出力するエージェント機能を搭載した視聴者装置と、広告提供装置と、少なくともコンテンツ評価部を備えたコンピュータとが接続され、
このコンピュータによって、電子商品であるコンテンツを評価分析するプログラムであって、
前記コンテンツ評価部によって、各視聴者装置から出力されるコンテンツ視聴情報を受信し蓄積装置に記憶し、かつ、これらコンテンツ視聴情報から各コンテンツの視聴状況を集計し当該蓄積装置に記憶する保存管理処理機能と、外部のコンテンツ買付部からコンテンツ買付け要求を受信したとき、その要求内容に応じて少なくとも評価手法、評価項目及び報告形式に関する情報を取り出し、あるいは自ら定めた評価手法、評価項目及び報告形式に関する情報を前記蓄積装置に記憶する評価／分析管理処理機能と、この機能による処理終了後に評価分析処理の開始指示を受けたとき、前記集計された各コンテンツに対し、前記蓄積装置に記憶される評価手法、評価項目に従って評価分析し、この優良コンテンツのコンテンツ情報を含む評価分析結果を出力するデータ分析処理機能と、このデータ分析処理機能により出力された評価分析結果を、前記蓄積装置に記憶される報告形式に従って報告形式データに作成し、前記外部のコンテンツ買付部に送信するデータ報告処理機能とを実現させることを特徴とするコンピュータ読取り可能なプログラム。
【請求項７】
請求項６に記載のプログラムにおいて、
ネットワークに少なくともコンテンツ買付部を備えたコンピュータとが接続され、
このコンピュータによって、コンテンツを買付ける処理を行うプログラムであって、
前記コンテンツ買付部によって、コンテンツの基本となる購入価格を決定するための各種のパラメータ情報を前記蓄積装置に保存する保存管理処理機能と、前記コンテンツ評価部に対してコンテンツの買付け要求に基づき、あるいは当該コンテンツ評価装置から任意に送られてくる前記報告形式データを受け取ると、当該報告形式データに記載される評価分析結果に基づき、優良コンテンツのコンテンツ情報と前記蓄積装置から必要なパラメータ情報を読み出して当該優良コンテンツの優良度等を考慮して購入価格を決定する購買判定処理機能と、この優良コンテンツの購入価格を決定した後、優良コンテンツのコンテンツ情報及び購入価格を記述した注文データを作成し、この注文データを前記コンテンツ提供装置に送信し、当該注文データに対する購入価格の変更を含む回答データからコンテンツ買付け契約を成立させ、前記コンテンツ提供装置から優良コンテンツに関するコンテンツ及びコンテンツ情報を取得し、前記蓄積装置に記憶するとともに、外部のコンテンツ配信部に送信する機能とを実現させることを特徴とするコンピュータ読取り可能なプログラム。
【請求項８】
請求項７に記載の電子商品流通システムにおいて、
ネットワークに少なくともコンテンツ配信部を備えたコンピュータとが接続され、
このコンピュータによって、コンテンツの配信処理を行うプログラムであって、
前記コンテンツ配信部によって、前記コンテンツ買付部から送信されるコンテンツ及びコンテンツ情報を受信し前記蓄積装置に保存する保存機能と、この受信された前記コンテンツ及びコンテンツ情報に基づき、前記コンテンツ評価部に対して当該コンテンツ及び広告の視聴に関するコンテンツ視聴情報を要求し取得するコンテンツ処理機能と、前記受信されたコンテンツ及びコンテンツ情報に基づき、当該コンテンツ情報と前記コンテンツ視聴情報とを用いて広告枠を考慮した仮番組編成データを生成し前記蓄積装置に記憶するとともに、当該広告枠情報を外部の前記広告取得処理部に提供する広告枠提供機能と、この広告取得処理部から前記広告コンテンツや広告コンテンツ情報を受けたとき、仮番組編成の広告枠の中に広告を挿入したコンテンツを組込んだ配信制御情報を作成し前記蓄積装置に記憶する番組編成データ生成機能と、この番組編成データ生成機能により生成された配信制御情報に従って広告挿入のコンテンツを前記視聴者装置に提供し、この提供した前記視聴者装置から視聴者が選択した番組のコンテンツ選択情報を受信し、前記蓄積装置に記憶する配信制御機能と、この配信後、前記コンテンツ評価部に対してコンテンツ及び広告の視聴に関する視聴統計情報と視聴に関する課金情報を要求取得し、視聴回数を考慮しつつ視聴者、広告提供者及びコンテンツ提供者に対する課金計算を実施し、前記広告取得処理部、前記コンテンツ買付部、前記視聴者装置に課金分配する課金情報取得機能とを実現させることを特徴とするコンピュータ読取り可能なプログラム。
【請求項９】
請求項８に記載の電子商品流通システムにおいて、
ネットワークに少なくとも広告取得処理部を備えたコンピュータとが接続され、
このコンピュータによって、広告に関するコンテンツを取得するプログラムであって、
前記広告取得処理部によって、前記コンテンツ配信部の広告枠提供機能から送信される広告枠情報を受信し前記蓄積装置に記憶するとともに、前記ネットワークに接続される広告提供装置に提供する広告情報提供機能と、広告枠情報を提供後、前記広告提供装置から広告を入れる広告枠の購入決定情報を取得した後、当該広告提供装置から送られてくる広告料金、広告コンテンツや広告コンテンツ情報を受信し前記蓄積装置に記憶するとともに、前記広告コンテンツや広告コンテンツ情報を前記コンテンツ配信部に送信する広告転送機能とを実現させることを特徴とするコンピュータ読取り可能なプログラム。
【発明の詳細な説明】
【０００１】
【発明の属する技術分野】
本発明は、各家庭などに設置されているテレビジョン装置などの視聴者装置で視聴されるコンテンツの視聴情報の中から優良コンテンツを買い付け、この買い付けたコンテンツと広告とを合体させて消費者に安価に配信する電子商品流通システム、電子商品流通方法及びプログラムに関する。
【０００２】
【従来の技術】
一般に、電子商品には、インタネット上のプロバイダなどのコンテンツ提供会社から提供されるコンテンツと広告提供会社から提供される広告コンテンツ（以下、広告と略称する）とが挙げられる。
【０００３】
従来、一般の消費者は、視聴者装置を用いて、映像、音声によるコンテンツを視聴しているが、多数のコンテンツの中から優良なコンテンツを判断する場合、視聴者装置にナビゲーションシステムなどを搭載し、番組の選択情報から判断することが可能である。
【０００４】
一方、広告提供者から提供される広告は、番組の広告枠を利用し、当該番組内の広告枠の中に所要とする広告を組込んで消費者に提供している。
【０００５】
【発明が解決しようとする課題】
従って、従来の電子商品の流通販売等は、専らコンテンツ提供者、番組制作者、広告提供者が取り扱うものとされ、優良なコンテンツや広告を積極的に促進し、コンテンツ、広告の視聴に対する貢献度に応じて還元する仕組みになっていない。
【０００６】
すなわち、視聴者装置の視聴情報に基づいて自動的に優良なコンテンツを選択する技術は考えられているが、番組の広告枠を利用して広告の供給を促進する意味から、優良コンテンツと広告とを合体させて配信したり、コンテンツと広告との組み合わせに自由度をもたせつつ配信することは困難な技術である。
【０００７】
また、番組の広告枠にコンテンツを入れる場合には広告枠購入料金（広告料金）を必要とするが、この広告枠購入料金を、視聴者、コンテンツ提供者、システム運営者がそれぞれ広告視聴に対する貢献度に応じて還元し運営する方法が存在しない。特に、コンテンツ提供者のコンテンツの創造ないしは製作側に対する還元は、優良なコンテンツの製作を促進する意味から重要であるが、未だ広告料金をコンテンツ提供者に還元する仕組がない。
【０００８】
本発明は上記事情に鑑みてなされたもので、優良なコンテンツ、広告の供給を促進する電子商品流通システム、電子商品流通方法及びプログラムを提供することを目的とする。
【０００９】
また、本発明の他の目的は、視聴者、コンテンツ提供者、システム運営者がそれぞれ広告視聴に対する貢献度に応じて対価を適切に還元する電子商品流通システム、電子商品流通方法及びプログラムを提供することにある。
【００１０】
【課題を解決するための手段】
（１）  上記課題を解決するために、本発明は、ネットワークに、コンテンツを提供するコンテンツ提供装置及び前記ネットワークを通して提供される前記広告を含むコンテンツを視聴したとき、少なくともその視聴したアクセス先を含むコンテンツ情報とコンテンツの視聴時間と視聴者個人情報とを組込んだコンテンツ視聴情報を生成し出力するエージェント機能を搭載した視聴者装置が接続され、前記コンテンツ提供装置に対してコンテンツ買付けのためのコンテンツを評価分析する電子商品流通システムであって、
前記ネットワークを通して前記多数の視聴者装置と接続されるコンテンツ評価装置と、当該コンテンツ評価装置に接続されるコンテンツ買付装置とを備え、
前記コンテンツ評価装置は、各視聴者装置から出力されるコンテンツ視聴情報を受信し蓄積装置に記憶し、かつ、これらコンテンツ視聴情報から各コンテンツの視聴状況を集計し当該蓄積装置に記憶する保存管理処理手段と、前記コンテンツ買付装置からコンテンツ買付け要求を受信したとき、その要求内容に応じて少なくとも評価手法、評価項目及び報告形式に関する情報を取り出し、あるいは自ら定めた評価手法、評価項目及び報告形式に関する情報を前記蓄積装置に記憶する評価／分析管理処理手段と、この評価／分析管理処理手段から評価分析処理の開始指示を受け取ると、前記集計された各コンテンツに対し、前記蓄積装置に記憶される評価手法、評価項目に従って評価分析し、この優良コンテンツのコンテンツ情報を含む評価分析結果を出力するデータ分析処理手段と、このデータ分析処理手段から出力された評価分析結果を前記蓄積装置に記憶されている報告形式に従って報告形式データに作成し、前記コンテンツ買付装置に送信するデータ報告処理手段とを設け、
前記コンテンツ買付装置は、コンテンツの基本となる購入価格を決定するための各種のパラメータ情報を前記蓄積装置に記憶する保存管理処理手段と、前記コンテンツ評価装置に対してコンテンツの買付け要求に基づき、あるいは当該コンテンツ評価装置から任意に送られてくる前記報告形式データに記載される評価分析結果に基づき、優良コンテンツのコンテンツ情報と前記蓄積装置から必要なパラメータ情報を読み出して当該優良コンテンツの優良度等を考慮して購入価格を決定する購買判定処理手段と、この優良コンテンツの購入価格を決定した後、優良コンテンツのコンテンツ情報及び購入価格を記述した注文データを作成し、この注文データを前記コンテンツ提供装置に送信し、当該注文データに対する購入価格の変更を含む回答データからコンテンツ買付け契約を成立させ、前記コンテンツ提供装置から優良コンテンツに関するコンテンツ及びコンテンツ情報を取得し前記蓄積装置に記憶する手段とを設けた電子商品流通システムである。
【００１１】
また、本発明は、以上のような構成要素に新たに、前記ネットワークを介して視聴者装置に接続され、かつ、前記コンテンツ買付装置及び前記コンテンツ評価装置に接続されるコンテンツ配信装置をさらに備え、
前記コンテンツ配信装置は、前記コンテンツ買付装置から送信されてくるコンテンツ及びコンテンツ情報を受信し前記蓄積装置に記憶する記憶手段と、この受信された前記コンテンツ及びコンテンツ情報に基づき、前記コンテンツ評価装置に対して当該コンテンツ及び広告の視聴に関するコンテンツ視聴統計情報を要求し取得するコンテンツ処理手段と、前記受信されたコンテンツ及びコンテンツ情報に基づき、当該コンテンツ情報と前記コンテンツ視聴情報とを用いて広告枠を含む仮番組編成データを生成し、前記蓄積装置に記憶する番組編成データ生成手段と、番組編成データ生成手段により生成された広告枠を含む仮番組編成データに基づいて番組案内データを作成し、前記視聴者装置に提供するとともに前記蓄積装置に記憶する番組案内データ生成登録手段と、提供した前記視聴者装置から視聴者が選択した番組のコンテンツ選択情報を受信し、前記蓄積装置に記憶する番組選択情報受信手段とを設けた電子商品流通システムである。
【００１２】
さらに、本発明は、以上のような構成要素に新たに、前記ネットワークを通して視聴者装置に接続され、かつ、前記コンテンツ買付装置及び前記コンテンツ評価装置に接続されるコンテンツ配信装置と、このコンテンツ配信装置に接続される広告取得処理装置とを備え、
前記コンテンツ配信装置は、前記コンテンツ買付装置から送信されてくるコンテンツ及びコンテンツ情報を受信し前記蓄積装置に記憶する記憶手段と、この受信された前記コンテンツ及びコンテンツ情報に基づき、前記コンテンツ評価装置に対して当該コンテンツ及び広告の視聴に関するコンテンツ視聴情報を要求し取得するコンテンツ処理手段と、前記受信されたコンテンツ及びコンテンツ情報に基づき、当該コンテンツ情報と前記コンテンツ視聴情報とを用いて広告枠を考慮した仮番組編成データを生成し前記蓄積装置に記憶するとともに、当該広告枠情報を前記広告取得処理装置に提供し、当該広告取得処理装置から広告コンテンツ及び広告コンテンツ情報を受けたとき、仮番組編成の広告枠の中に広告を挿入したコンテンツを組込んだ配信制御情報を作成し前記蓄積装置に記憶する番組編成データ生成手段と、この番組編成データ生成手段により生成された配信制御情報に従って広告挿入のコンテンツを前記視聴者装置に提供し、この提供した前記視聴者装置から視聴者が選択した番組のコンテンツ選択情報を受信し、前記蓄積装置に記憶する配信制御手段と、この配信後、前記コンテンツ評価装置に対してコンテンツ及び広告の視聴に関する視聴統計情報と視聴に関する課金情報を要求取得し、視聴回数を考慮しつつ視聴者、広告提供者及びコンテンツ提供者に対する課金計算を実施し、前記広告取得処理装置、前記コンテンツ買付装置、視聴者装置に課金分配する課金情報取得手段とを設け、
前記広告取得処理装置は、前記コンテンツ配信装置の番組編成データ生成手段から送信される広告枠情報を受信し前記蓄積装置に記憶するとともに、前記ネットワークに接続される広告提供装置に提供する広告情報提供手段と、広告枠情報を提供後、前記広告提供装置から広告を入れる広告枠の購入決定情報を取得した後、当該広告提供装置から送られてくる広告料金、広告コンテンツやコンテンツ情報を受信し前記蓄積装置に記憶するとともに、前記広告コンテンツや広告コンテンツ情報を前記コンテンツ配信装置に送信する広告転送手段とを設けた電子商品流通システムである。
【００１３】
（２）  なお、以上のような一連の処理は方法やプログラムによる処理によっても同様に実現可能である。
【００１４】
【発明の実施の形態】
以下、本発明の実施の形態について図面を参照して説明する。
【００１５】
（１）  電子商品流通システムを含むネットワークシステムの全体構成について。
【００１６】
図１は本発明の一実施の形態に係わる電子商品流通システムを備えたネットワークシステムの系統構成図である。
【００１７】
この電子商品流通用ネットワークシステムは、グローバルコンテンツを伝送するインターネットなどのネットワーク装置１が設けられ、このネットワーク１には、家庭，企業を含む消費者などにより所持され、広告を含むグローバルコンテンツを視聴するテレビジョンなどの視聴者装置２、この視聴者装置２から出力される視聴情報及びネットワーク装置１から取得する所要の情報をもとに優良なコンテンツを評価／分析し、この優良コンテンツ、広告の供給を促進し、かつ、視聴者、コンテンツ提供者、システム運営者がそれぞれ広告視聴に対する貢献度に応じて適切な対価を還元する役割を司る電子商品流通システム３、コンテンツプロバイダなどにより所持され、多数の視聴者装置２にグローバルコンテンツを提供する他、電子商品流通システム３から提供される優良コンテンツの購入契約を行うコンテンツ提供装置４、電子商品流通システム３から提供される広告枠情報のもとに当該広告枠に広告を挿入する契約を結ぶスポンサー企業，広告代理店等の広告提供者が所持する広告提供装置５が接続されている。
【００１８】
さらに、ネットワーク装置１には、外部決済機関となる金融機関、クレジット会社等が所持する端末６及びコンテンツを一元的に管理するためのコンテンツ著作権情報管理団体が所持する端末７が接続されている。
【００１９】
視聴者装置２は、少なくとも次のような機能が設けられている。
【００２０】
視聴者装置２は、少なくとも消費者から入力される個人情報の保持、時間予約を含む番組選択その他所要とする情報を取得するナビゲーションシステム、番組再生の開始・終了等の実行時間を取得する再生装置及びどのような情報をどのように出力するかを規定するソフトウエアであるＳＮＭＰ（Simple  Network  Management）エージェント及び当該ＳＮＭＰエージェントにより出力する情報を蓄積するＭＩＢ（Management  Information  Base）データベース等が設けられている。
【００２１】
この視聴者装置２は、ネットワーク装置１を経由してコンテンツ提供装置２にアクセスし、コンテンツ提供装置４が所有するグローバルコンテンツを視聴するが、ナビゲーションシステムが視聴中のコンテンツの属性を示すコンテンツ情報とコンテンツ視聴時間（帯）その他必要な情報の他、予め入力されている個人単位で識別する視聴者の属性を示す個人情報を保持している。従って、視聴者装置２は、ＳＮＭＰエージェントを用いて、視聴者の属性を示す個人情報と視聴したコンテンツの属性を示すコンテンツ情報とコンテンツの視聴時間とを組込んだコンテンツ視聴情報を生成し出力する機能をもっている。
【００２２】
また、視聴者装置２は、コンテンツと広告とが合体された広告挿入コンテンツをアクセスし視聴したとき、前述するように広告を視聴する視聴者の属性を示す個人情報の他、視聴中の広告の属性を示す広告情報、広告視聴中の視聴時間（帯）を保持している。従って、視聴者装置２は、ＳＮＭＰエージェントを用いて、視聴者の属性を示す個人情報と視聴した広告の属性を示す広告情報とコンテンツの視聴時間とを組込んだ広告視聴情報を生成し出力する機能をもっている。
【００２３】
電子商品流通システム３は、視聴者装置２から収集するコンテンツ視聴情報やネットワーク装置１に設置される各端末（図示せず）のＳＮＭＰエージェントによって出力される所要とする情報を取り込み、コンテンツに対して一定の評価、分析を実施し、グローバルコンテンツの中から優良なコンテンツを選択し、コンテンツ名、アクセス先を含むコンテンツ情報を出力するコンテンツ評価装置１００と、このコンテンツ評価装置１００から送られてくる優良コンテンツのコンテンツ情報或いは自らコンテンツを選定し、この選定されたコンテンツに対してコンテンツ評価装置１００に評価、分析を要求し、この分析評価の結果に基づいてコンテンツ提供装置４との間で買付け処理を実施し、買付け成立後にコンテンツ、コンテンツ情報を取得するコンテンツ買付装置２００と、このコンテンツ買付装置２００から送られてくるコンテンツ、コンテンツ情報を受信し、これらコンテンツ及びコンテンツ情報に基づいて仮番組編成及び広告枠情報を生成し送信し、さらに買付けたコンテンツ及び広告を配信するコンテンツ配信装置３００と、このコンテンツ配信装置３００からの広告枠情報を広告提供装置５に提供し、広告枠の販売や広告コンテンツを取得する広告取得処理装置４００と、保存管理処理部５００とが設けられている。
【００２４】
各装置１００〜４００の諸機能について概略的に説明する。
【００２５】
コンテンツ評価装置１００はネットワーク装置１を介して多数の視聴者装置２と接続されている。このコンテンツ評価装置１００は、各視聴者装置２から出力されるコンテンツ視聴情報を受信し、またネットワーク装置１から収集する所要の情報を取り込んで保存管理処理部５００に保存管理し、これら収集された全てのコンテンツ視聴情報及びネットワーク装置１から収集する所要の情報を用いて、コンテンツを評価し、優良なコンテンツとともにコンテンツ名、アクセス先を含むコンテンツ情報を少なくともコンテンツ買付装置２００に送信し、コンテンツの買付け処理を行わせる。また、コンテンツ評価装置１００は、各視聴者装置２から優良コンテンツのコンテンツ視聴情報を受信して保存管理処理部５００に保存管理し、その後の評価分析結果をコンテンツ提供装置４などに提供する。
【００２６】
また、コンテンツ評価装置１００は、各視聴者装置２から出力される広告視聴情報を受信して保存管理処理部５００に保存し管理し、その後の評価分析結果を広告提供装置５などに提供する。
【００２７】
なお、コンテンツ評価装置１００は、コンテンツ買付装置２００に対して優良なコンテンツ情報を送信して買付けを促すだけでなく、コンテンツ買付装置２００から選定されたコンテンツの買付け要求を受けて、当該コンテンツ情報を評価分析し、評価分析結果をコンテンツ買付装置２００に送信する機能も備えている。
【００２８】
また、コンテンツ評価装置１００は、広告収入の計算と広告の消費量の計算と広告に関係するコンテンツの広告視聴に対する貢献度を計算し、消費者、コンテンツ提供者、処理システム運営事業者の貢献度に応じ、広告収入に対するそれぞれの分配を計算し、分配結果を出力する機能も備えている。
【００２９】
コンテンツ買付装置２００は、コンテンツ評価装置１００とは専用線等を含む通信回線（ネットワーク）を介して接続され、コンテンツ評価装置１００から出力される優良コンテンツのコンテンツ情報を受信し、またコンテンツの買付け処理のために評価分析要求のもとにコンテンツ評価装置１００から送られてくる優良コンテンツのコンテンツ情報に基づき、当該優良コンテンツの「基本購入価格」の計算を行い、この「基本購入価格」をベースとし、広告無し、広告有りのコンテンツの配信におけるそれぞれのコンテンツの実勢の「購入価格」と［販売価格」とを計算する。また、コンテンツ買付装置２００は、計算された「購入価格」と「基本消費価格」とに基づき、コンテンツ提供装置４との間で電子的な手段を用いて自動的に購入契約の成立・不成立を確定させる。また、コンテンツ提供装置４は、購入契約成立後、コンテンツ及びコンテンツ情報をコンテンツ買付装置２００の指定位置に送出し、またコンテンツ、コンテンツ情報、「基本購入価格」、「購入価格」、「販売価格」を保存管理処理部５００に保存管理し、必要に応じて要求先に提供し、また広告視聴の貢献度に応じて広告収入の一部をコンテンツ提供者に還元する機能をもっている。
【００３０】
コンテンツ配信装置３００は、視聴者装置２に対してネットワーク装置１を介して接続され、またコンテンツ評価装置１００、コンテンツ買付装置２００、広告取得処理装置４００に対して専用線を含む通信回線（ネットワーク）を介して接続されている。
【００３１】
このコンテンツ配信装置３００は、視聴者装置２からの番組またはコンテンツ視聴情報を受信する一方、コンテンツ買付装置２００により買付けたコンテンツ及びコンテンツ情報を取得し、またコンテンツ評価装置１００から視聴統計情報を取り込み、番組編成、番組案内情報の生成、広告枠情報の生成、配信制御情報の生成などを行う。コンテンツ配信装置３００は、生成された広告枠情報を広告取得処理装置４００に送信し、また番組案内情報を視聴者装置２に送信する。番組編成は、視聴者装置２に提供するコンテンツを番組の形態に組立て、また対応する番組配信制御情報及び広告に挿入するコンテンツを作成する。さらに、コンテンツ配信装置３００は、視聴者装置２から番組選択情報を受信し、この番組選択情報に対応する配信制御情報を検索し、この配信制御情報に従ってコンテンツと広告とに組み合わせ、変換圧縮処理、暗号化処理、配信処理を実施し、視聴者装置２に送信する機能をもっている。
【００３２】
広告取得処理装置４００は、コンテンツ評価装置１００、コンテンツ買付装置２００、コンテンツ配信装置３００とは専用線を含む通信回線（ネットワーク）により接続され、また広告提供装置５とはネットワーク装置１を介して接続されている。広告取得処理装置４００は、コンテンツ配信装置３００から出力されるコンテンツに付随している配信される広告に関する「広告枠情報」を受信し、広告提供装置５に対してコンテンツ名、広告枠情報を含む広告枠購入情報を送出し、広告枠購入の契約処理を実行する。広告取得処理装置３００は、広告枠購入契約後、広告提供装置４から広告コンテンツと広告コンテンツ情報を受け取り、保存管理処理部５００に保存管理し、必要に応じて広告コンテンツ情報を出力する。
【００３３】
前記コンテンツ提供装置４は、コンテンツ買付装置２００に対してネットワーク装置１を介して接続され、コンテンツ買付装置２００からコンテンツ買付けのために提示されるコンテンツ購入契約条件についてネゴシエーションを行って契約処理を行い、契約成立後には該当コンテンツ及びコンテンツの属性を表すコンテンツ情報をコンテンツ買付装置２００に送出する機能をもっている。また、コンテンツ提供装置４は、コンテンツ買付装置２００から広告視聴の貢献度に応じて広告収入の一部を受領する機能をもつている。
【００３４】
広告提供装置５は、ネットワーク装置１を介してコンテンツ買付装置２００と接続されている。この広告提供装置５は、広告取得処理装置４００から出力されるコンテンツ名、広告枠情報などの広告枠購入情報に対し、広告枠の購入処理をを行って購入契約を成立させ、広告コンテンツ及び広告コンテンツ情報を広告取得処理装置４００に送出する機能をもっている。
【００３５】
（２）  電子商品流通システムの一例となる処理動作及び本発明の一実施の形態に係わる電子商品流通方法について（図２、図３参照）。
【００３６】
（ａ）  視聴者装置２によるグローバルコンテンツ視聴情報の収集について。
【００３７】
視聴者装置２は、インターネット装置１上に存在する映像関連ポータルサイト等に対してＵＲＬのもとにアクセスし（Ｓ１）、インターネット装置１上で流通するグローバルコンテンツを視聴する。このとき、ストリーミング映像を表示する視聴者装置２は、視聴したコンテンツ名、コンテンツ視聴のためのアクセス先、視聴時間、視聴価格等の視聴情報（グローバルコンテンツ視聴情報）収集し蓄積する（Ｓ２）。この蓄積されたグローバルコンテンツ視聴情報はコンテンツ評価装置１００に送信される（Ｓ３）。
【００３８】
（ｂ）  コンテンツ評価装置１００による優良コンテンツの抽出について。
【００３９】
コンテンツ評価装置１００は、多数の視聴者装置２からグローバルコンテンツ視聴情報を受信し（Ｓ４）、これら視聴情報を集計する（Ｓ５）。この集計されたグローバルコンテンツ視聴情報に対し、電子商品流通システム３を管理する事業者におけるその時期等の戦略、例えばアクション系のコンテンツ入手を推進する等の戦略等を加味しつつ、所定の評価分析することにより優良コンテンツを抽出する（Ｓ６）。この優良コンテンツの抽出後、コンテンツとともにコンテンツ名やアクセス先を含むコンテンツ情報をコンテンツ買付装置２００に送信する（Ｓ７）。
【００４０】
なお、コンテンツ評価装置１００は、コンテンツ買付装置２００から買付け処理するためにコンテンツの評価分析要求を受けたとき、グローバルコンテンツを分析評価し、優良なコンテンツを選定し、優良コンテンツのコンテンツ情報をコンテンツ買付装置２００に送信する場合もある。
【００４１】
（ｃ）  コンテンツ買付装置２００によるコンテンツ買付け及びコンテンツの取得について。
【００４２】
コンテンツ買付装置２００は、コンテンツ情報を受信した後（Ｓ８）、当該コンテンツを購入するための妥当な基本購入価格を算出し、コンテンツ提供装置４にアクセスする（Ｓ９）。コンテンツ買付装置２００は、コンテンツ提供装置４との間で基本購入価格をベースとし、２次利用権や広告挿入の有無等の条件のもとにネゴシエーションを実施しながら購入価格を変動させ、契約成立させてコンテンツの買付け処理を行う（Ｓ１０）。コンテンツの買付けを行った後、コンテンツ提供装置４から該当コンテンツとコンテンツ購入（契約）条件を取得すると、保管管理処理部５００に保管する（Ｓ１１，Ｓ１２）。さらに、コンテンツ買付装置２００は、コンテンツ提供装置４からコンテンツ情報（コンテンツメタ情報）を取得するか、あるいはコンテンツ評価装置１００から受け取ったコンテンツ情報に基づいてコンテンツ買付け後のコンテンツのコンテンツ情報を生成し、保管管理処理部５００に保管する（Ｓ１３）。また、コンテンツ買付装置２００は、買付けた配信すべきコンテンツ及びコンテンツ情報をコンテンツ配信装置３００に送信する（Ｓ１４，Ｓ１５）。
【００４３】
（ｄ）  コンテンツ配信装置３００による仮番組編成及び広告枠情報等の生成について。
【００４４】
コンテンツ配信装置３００は、コンテンツ買付装置２００から配信すべきコンテンツ、コンテンツ情報を受信し（Ｓ１６，Ｓ１７）、保存管理処理部５００に保存し管理する。コンテンツ配信装置３００は、保存管理処理部５００に保存した後、当該コンテンツの種類に応じて、従来のＴＶタイプのブロードキャスト型配信（ｐｕｓｈ型配信）に適したコンテンツ、視聴者自身の選択のもとに限定された視聴者の配信（ｐｕｌｌ型配信）に適したコンテンツとに分け、さらにコンテンツ情報からコンテンツ毎に広告挿入が可能か否かを加味した上で仮番組を編成する（Ｓ１８）。この仮番組編成の結果、広告枠が明確になるので、この広告枠情報を保管管理処理部５００に保管し管理する一方、当該広告枠情報を広告取得処理装置４００に送信する（Ｓ１９）。
【００４５】
（ｅ）  広告取得処理装置４００による広告枠の販売、広告コンテンツの取得について。
【００４６】
広告取得処理装置４００は、コンテンツ配信装置３００からの広告枠情報を受信すると（Ｓ２０）、この広告枠情報を広告提供装置５に開示し（Ｓ２１）、入札方式または価格提示による単純販売方式により広告枠を販売する用意があることを知らせる。広告提供装置５を所持する広告提供者は、購入しようとする広告枠の過去の視聴統計情報（年齢別、性別等の統計情報或いは放送された広告の統計等）を参照し、入札する（Ｓ２２）。入札期間が経過した後、広告取得処理装置４００は、最高価格者に落札を通知し（Ｓ２３）、広告配信条件（配信期限等）を明確にした上で広告契約を成立させると、販売情報として保管する（Ｓ２４）。広告取得処理装置４００は、契約成立後、広告料金を徴収し（Ｓ２５）、広告コンテンツを受信取得し（Ｓ２６）、保存管理処理部５００に保存し管理し、また、広告提供装置５からの広告コンテンツ情報（広告コンテンツメタ情報）を受信するか、広告コンテンツ情報を生成する（Ｓ２７）。さらに、広告取得処理装置４００は、広告コンテンツと広告コンテンツ情報とをコンテンツ配信装置３００に送信する（Ｓ２８）。
【００４７】
（ｆ）  コンテンツ配信装置３００による番組編成、視聴者装置２への配信について。
【００４８】
コンテンツ配信装置３００は、広告コンテンツ、広告コンテンツ情報を受信すると（Ｓ２９）、先に生成された仮番組編成表に従って番組編成を進める（Ｓ３０）。この際、販売できなかった広告枠や例えばコンテンツの頭出し時間等によって視聴者に待ち時間が生じた場合、広告コンテンツ情報中のターゲット顧客情報と視聴者から収集した視聴情報等を参照し、広告の挿入（以下、ダイナミック広告と呼ぶ）を進める。番組編成終了後、電子番組選択情報ＥＰＧ（Electronic  Program  Guide）を視聴者装置２に送信し（Ｓ３１）、表示させることにより（Ｓ３２）、視聴者にプログラム（チャンネル）の選択権を与える。視聴者は電子番組選択情報によって番組を選択すると（Ｓ３３）、コンテンツ配信装置３００は広告の挿入されたコンテンツを視聴者装置２に配信する（Ｓ３４）。なお、プログラムの視聴は、例えば広告が付加されたプログラム（ＴＶ型やＶＯＤ）では広告なしの場合よりも料金がディスカウントされる。
【００４９】
コンテンツ配信装置３００は、コンテンツと広告コンテンツとの配信回数を蓄積し（Ｓ３５）、この配信回数、配信情報およびそれぞれの課金情報を広告取得処理装置４００に送信する（Ｓ３６）。
【００５０】
（ｇ）  広告取得処理装置４００による広告料の再徴収、ディスカウント料の補填について。
【００５１】
広告取得処理装置４００は、広告コンテンツの配信回数、配信情報を受信する（Ｓ３７）。そして、広告コンテンツがターゲット顧客情報に応じて適切に配信されたことを確認後、広告提供者から広告料の再徴収を実施する（Ｓ３８）。この再徴収した広告料のうち、一部は当該広告を添付して配信したコンテンツの視聴者へのディスカウント分の料金を補填し（Ｓ３９）、一部は当該広告を添付して配信したコンテンツを提供したコンテンツ提供者であるコンテンツ提供装置４に対し、広告回数に応じたペイバック分を計算し、ペイバックする（Ｓ４０）。このペイバックの料金情報はコンテンツ買付装置２００へ通知される（Ｓ４１）。
【００５２】
（ｈ）  コンテンツ買付装置２００によるコンテンツ提供者へのペイバックについて。
【００５３】
コンテンツ買付装置２００は、ペイバックの料金情報を受信すると（Ｓ４２）、コンテンツ提供装置４にペイバック料等について通知し（Ｓ４３）、実際にペイバックを実施する（Ｓ４４）。
【００５４】
（３）  広告付きコンテンツによるビジネスモデルについて。
【００５５】
本発明に係わる電子商品流通システムから見た広告付きコンテンツの販売によるビジネスモデルについて図４を参照して説明する。
【００５６】
従来、コンテンツ配信業者の収支は、設備費、人件費等の製造固定費を無視し簡略化すると、コンテンツの購入価格（ａ）、エンドユーザへの配信価格（ｂ）、一本当たりの著作権者へのロイヤリティ（ｌ）、視聴回数（ｎ）により表される。つまり、
配信サービス提供者のコンテンツ販売による利益＝（ｂ×ｎ）−（ａ＋ｌ×ｎ）で表される。よって、従来においては、視聴者によるコンテンツの視聴を促進するためには、利益からプロモーション費用を捻出するか、ｂを下げるなどの値下げを実施し、収入を削る方向で販売するのが一般的である。
【００５７】
これに対し、本発明による一実施の形態においては、コンテンツ広告費の一部が次のように利用される。
【００５８】
（Ｉ）  広告付きコンテンツを配信した場合、視聴者に対してディスカウントするが、そのディスカウント費用の補填費用に回すこと。
【００５９】
（II）  また、広告付きコンテンツの視聴には、コンテンツの優良度が貢献したと考え、コンテンツ提供者の提供したコンテンツに付帯して配信された広告の配信回数に応じて、コンテンツ提供者にペイバックすること。
【００６０】
広告毎の広告による収入は、広告枠の販売による広告料（ｐ）とダイナミック広告（ｑ×ｍ）による再徴収する広告料である。なお、ｑは事業者によって決定される。ｍは広告の配信回数である。
【００６１】
さらに、広告による視聴者へのディスカウント分（ｄ×ｍ）とコンテンツ提供者へのペイバック分（ｒ×ｍ）を考慮すると、広告モデルの利益は、
広告による利益＝ｐ＋ｑ×ｍ−（ｄ＋ｒ）×ｍ＝ｐ＋（ｑ−ｄ−ｒ）×ｍとなる。
【００６２】
従って、サービス全体の利益は、
0004005820.tif 000002
【００６３】
従って、図４は以上のような利益に対するコンテンツ提供者、電子商品流通システム、視聴者の３者でどのように利益配分するかを示した広告付きコンテンツ販売モデル図である。図示左側の棒グラフは、コンテンツ提供者の収入を示したものであり、従来のコンテンツ提供者への支払（ａ＋ｌ×ｎ）に対し、広告付帯によるペイバック収入によって（ｒ×ｍ）分だけ増加している。
【００６４】
一方、図示中央の棒グラフは、電子商品流通処理システムに関する収支を示すものであって、上部の網掛け部分ｂ×ｎ−（ａ＋ｌ×ｎ）がコンテンツ販売による利益分であり、下部の網掛け部分ｐ＋（ｑ−ｄ−ｒ）×ｍが広告収入による利益分である。
【００６５】
右側の棒グラフは、視聴者全体の視聴料金であって、通常ｂ×ｎであったが、今回の発明ではｄ×ｍ分だけディスカウントされている。
【００６６】
従って、結果的には、広告料をリーズナブルに活用することにより、３者が利益を享受することが可能となる。
【００６７】
次に、電子商品流通システム（図１参照）を構成するコンテンツ買付装置２００、コンテンツ評価装置１００、コンテンツ配信装置３００、広告取得処理装置４００の順序で個別的に説明する。なお、以下の説明は、コンテンツ買付装置２００からコンテンツ買付けのためにコンテンツ評価装置１００に対して当該コンテンツの評価分析を要求する例について説明する。
【００６８】
（４）  コンテンツ買付装置２００について。
【００６９】
図５はコンテンツ買付装置２００の一実施の形態を示す構成図である。
【００７０】
このコンテンツ買付装置２００は、所要のコンテンツ買付け条件のもとにコンテンツ買付け要求をコンテンツ評価装置１００に送信し、当該コンテンツ評価装置１００から優良なコンテンツのコンテンツ情報を含む評価分析結果を受け取ると、コンテンツプロバイダであるコンテンツ提供装置４との間でコンテンツの買付け処理を実行する機能をもっている。
【００７１】
このコンテンツ買付装置２００は、例えば契約・販売管理処理部２１０と入荷管理処理部２２０と会計管理処理部２３０と保存管理処理部２４０とによって構成されている。
【００７２】
この契約・販売管理処理部２１０は、コンテンツ買付処理のために必要な情報をコンテンツ評価装置１００に要求し、このコンテンツ評価装置１００から取得された情報と予めデータ蓄積装置に保存される情報とをもとに、所定の購入コンテンツ価格決定方式に従ってコンテンツの購入価格を決定する。また、契約・販売管理処理部２１０は、コンテンツ購入価格の決定後、コンテンツの仕入先（買付先）を検索し、この検索されたコンテンツ仕入先のコンテンツ情報（コンテンツメタ情報）から注文データを作成しコンテンツ買付装置２００に提示し、妥当なコンテンツ購入価格となったとき、契約成立となり、契約成立情報を出力する機能をもっている。
【００７３】
入荷管理処理部２２０は、契約成立情報を受けた後、コンテンツ提供装置４からコンテンツ及びコンテンツメタ情報を受信し、これらコンテンツ、コンテンツメタ情報の誤りチェック、内容の正否を確認する。そして、契約・販売管理処理部２１０は、適切なコンテンツ、コンテンツメタ情報を保存管理処理部２４０に保存する一方、検収情報を会計管理処理部２３０に送出する。
【００７４】
さらに、入荷管理処理部２２０は、コンテンツ著作権情報管理団体所持の端末７からユニークなコンテンツ著作権ＩＤを取得し、前記コンテンツメタ情報に埋め込み、保存管理処理部２４０に保存されるコンテンツメタ情報を更新する機能をもっている。
【００７５】
会計管理処理部２３０は、契約・販売管理処理部２１０から契約成立情報を受信し、また入荷管理処理部２２０から検収情報を受信すると、コンテンツ提供装置４からの請求データに基づき、金融機関・クレジット会社等が所持する端末６との間で決済処理を実行する機能をもっている。
【００７６】
保存管理処理部２４０は、契約・購買管理処理部２１０、入荷管理処理部２２０及び会計管理処理部２３０からのデータ保存要求を受付け、その要求内容に応じた書込み及び読出し処理を実施する保存管理手段２４１、この保存管理手段２４１の指示のもとに各種のデータを蓄積する蓄積装置２４２とが設けられている。
【００７７】
次に、コンテンツ買付装置２００の処理の一例について図６を参照して説明する。
【００７８】
１）  コンテンツ購買条件設定処理（Ｓ２０１）。
【００７９】
契約・販売管理処理部２１０の購買処理手段２１１は、コンテンツの買付け処理に当たり、購入コンテンツ価格決定方式Ａ１（後記）を用いて、コンテンツの基本となる購入価格を決定する。この基本購入価格を決定するための各種の情報は保存管理処理部２４０の蓄積装置２４２に蓄積されているが、その他にもコンテンツ評価装置１００による評価情報，例えばコンテンツ販売実績評価Ａ２（後記）に関する情報等が必要となる。
【００８０】
そこで、購買処理手段２１１は、保存管理処理部２４０の蓄積装置２４２から購入コンテンツ価格決定方式によるコンテンツ購入価格を決定する以下のパラメータ情報を読み出し、購買判定処理手段２１２に設定する。
【００８１】
この設定情報は、コンテンツの顧客への販売価格、コンテンツのロイヤリティ価格、電子商品流通システム設備の製造固定費（減価償却額）、電子商品流通システム設備の管理費等のように変動要素の少ないパラメータ情報などが規定値として設定される。
【００８２】
２）  購買判定情報の取得処理（Ｓ２０２）。
【００８３】
購買判定処理手段２１２は、購買処理手段２１１から購入コンテンツ価格決定方式Ａ１に必要なパラメータ情報を受けると、統計データ取得手段２１３を経由して販売価格評価Ａ２に関する情報の提供をコンテンツ評価装置１００の評価／分析管理処理部１１０に要求する。
【００８４】
購買判定処理手段２１２は、コンテンツ評価装置１００のデータ報告処理部１４０から販売実績評価Ａ２に関する情報を受け取った後、「予想販売数」算出のためのパラメータとして、販売実績評価Ａ２の「ジャンル傾向」に関する情報を統計データ取得手段２１３を経由してコンテンツ評価装置１００の評価／分析管理処理部１１０に送信する。
【００８５】
購買判定処理手段２１２は、コンテンツ評価装置１００のデータ報告処理部１４０から取得する「予想販売数」の情報を受け取ると、この取得した情報と蓄積装置２４２に保存されているコンテンツ購入価格を決定する情報とに基づき、購入コンテンツ価格決定方式Ａ１により、「ジャンル傾向」別にコンテンツ購入価格を決定する。
【００８６】
＜購入コンテンツ価格決定方式Ａ１＞
ａ）  コンテンツ基本購入価格の決定
コンテンツの基本購入価格は、電子商品流通システムが決定する販売価格と「予想販売数」とから予想売上高を算出する。この予想売上げ高に基づいて変動費となる材料費（コンテンツ購入価格）を算出する。また、予想売上げ高は、経理的にはコンテンツ配信のための原価（売上原価）と売上利益とからなり、電子商品流通システム３で設定する売上利益（特に営業利益）がコンテンツの基本購入価格のパラメータとなる。
【００８７】
0004005820.tif 000003
商品売上原価＝コンテンツ配信設備の管理費
製造変動費  ＝コンテンツのロイヤリティ価格×予想販売数＋コンテンツの基本購入価格＋コンテンツ配信のコスト×予想販売数
製造固定費  ＝電子商品流通システム設備の減価償却額
売上総利益  ＝販売のための諸経費＋電子商品流通システムの営業利益である。
【００８８】
従って、コンテンツの基本購入価格＝予想売上高−（商品売上原価＋製造固定費＋売上総利益）−（コンテンツのロイヤリティ価格×予想販売数＋コンテンツ配信のコスト×予想販売数）で表される。
【００８９】
ｂ）  コンテンツ評価を加えた購入価格の算出
コンテンツプロバイダであるコンテンツ提供装置４からコンテンツを購入する際、電子商品流通システム３が視聴者装置２から収集したコンテンツ販売情報やシステム管理情報から購入見積りのための評価値を算出し、基本購入価格に反映する。このコンテンツ販売情報は、視聴者装置２の視聴者のコンテンツ視聴回数に相当する。従って、例えば映画のトータルの視聴回数がコンテンツの販売回数となります。また、特定のジャンルの映画の販売回数の平均値が当該ジャンルの予想販売数となる。
【００９０】
なお、前記評価値は、例えば５段階評価（−２，−１，０，１，２）とし、コンテンツ毎に下記する販売実績評価Ａ２の各項目について評価する。全ての販売コンテンツの情報から評価値を計算し、その平均値が５段階評価の「０」とする。購入するコンテンツの評価は例えば５つの項目からなり、当該平均値との比較を行い、５段階評価を決定する。最終的な５段階評価は、５項目の平均値から算出する。
【００９１】
最終的な購入価格＝コンテンツの基本購入価格＋（予め決めた営業利益を原資とする基準価格値）×５段階評価となる。
【００９２】
なお、予め決めた営業利益を原資とする基準価格値とは、コンテンツ販売の利益のうち、売上総利益の中の営業利益を原資として、コンテンツ購入時に「付加する評価額（基準価格値）を決定するもので、実際の価格は、経営側が営業利益から判断して決定する規定値となる。
【００９３】
＜販売実績評価Ａ２＞：５段階評価（ａ〜ｅ）
ａ）  コンテンツの販売実績
販売実績の高いコンテンツを高評価とする。なお、販売実績は、コンテンツの配信実績となるが、配信形態によりコンテンツの視聴率や顧客の連続視聴時間からも判断する。
【００９４】
ｂ）  ジャンル傾向
特定ジャンルのコンテンツの販売実績が高い場合、該当するジャンルのコンテンツを高評価とする。
【００９５】
ｃ）  コンテンツプロバイダ
販売実績の高いコンテンツを提供するコンテンツプロバイダを高評価とする。
これはコンテンツ自体のブランド力が高いためである。
【００９６】
ｄ）  粗利益
コンテンツ販売実績からコンテンツの粗利益を算出し高評価とする。なお、コンテンツを定額で販売した時とディスカウント価格で販売した時の粗利益の対比からも評価する。
【００９７】
ｅ）  コスト
コンテンツを顧客に配信する際の回線費用などの配信コスト、販売促進のための販売費用等を考慮して評価する。また、コンテンツ維持のための経費により評価する。
【００９８】
購買判定処理手段２１２は、以上のようにして「ジャンル傾向」毎のコンテンツ購入価格を決定し、購買処理手段２１１に通知する。
【００９９】
３）  仕入先検索処理（Ｓ２０３）
購買処理手段２１１は、「ジャンル傾向」毎に決定されたコンテンツ購入価格の情報を受け取ると、保存管理処理部２４０の保存管理手段２４１を用いて、蓄積装置２４２の１つのデータベースである仕入先情報データベース２４２ｄから仕入先を検索する。
【０１００】
コンテンツの仕入先（買付先）であるコンテンツプロバイダ，つまりコンテンツ提供装置４を検索するに先立ち、予め次のような情報の蓄積処理が行われている。
【０１０１】
予めインターネットなどの検索情報サイトからコンテンツプロバイダ等の企業情報を入手し、保存管理手段２４１を介して仕入先情報データベース２４２ｄに蓄積する。また、決済実施のための与信情報も同様に入手し、与信情報データベース２４２ｇに蓄積する。
【０１０２】
従って、購買処理手段２１１は、保存管理手段２４１を介して仕入先情報データベース２４２ｄから仕入先を検索し、コンテンツ提供装置４にアクセスする情報（例えばネットワーク通信に必要なＵＲＬなどの情報）を取得する。
【０１０３】
購買処理手段２１１は、仕入先購買条件に合致する仕入先が存在するか否かを判定し（Ｓ２０４）、該当するコンテンツ提供装置４に関する情報が無い場合、コンテンツの買付処理を終了する（Ｓ２０５）。
【０１０４】
４）  コンテンツ検索処理（Ｓ２０６）
購買処理手段２１１は、ステップＳ２０３、Ｓ２０で仕入先となるコンテンツ提供装置４の情報を検索すると、情報検索処理手段２１４に対し、当該コンテンツ提供装置４の保有するコンテンツメタ情報（コンテンツ情報）の取得を指示する。
【０１０５】
この情報検索処理手段２１４は、情報検索送受信手段２１５を経由してコンテンツ提供装置４のコンテンツメタ情報を検索する。ここで、情報検索送受信手段２１５は、コンテンツ提供装置４に対して電子的な情報交換（ＥＤＩ、ｅｂＸＭＬ、ＨＴＴＰ）プロトコルに基づいて送受信データのフォーマット変換及び通信処理を実施する。なお、コンテンツメタ情報に含まれる情報の一例としては、コンテンツコード（コンテンツ著作権ＩＤ）、ビデオフォーマット、コンテンツ時間、作成者、作成日時、著作権者、圧縮ＣＯＤＥＣ、コンテンツのハッシュ値、コンテンツの格納先アドレス、利用条件（配信期限、改変権、二次利用権、販売権など）、ロイヤリティ情報（ロイヤリティ価格、支払条件、契約期間）、広告付帯条件（映像広告付き、バナー広告付きなど）などが挙げられるが、以上の情報よりも少ない情報であってもコンテンツの買付けにはそれほど問題とならない。
【０１０６】
情報検索処理手段２１４は、情報検索送受信手段２１５を用いて、検索結果であるコンテンツメタ情報を取得すると、保存管理手段２４１を介してコンテンツメタ情報データベース２４２ｂに保存するとともに、購買処理手段２１１に送出する。この購買処理手段２１１は、ステップＳ２０２により取得した販売実績評価Ａ２とコンテンツ提供装置４から取得したコンテンツメタ情報とを比較し（Ｓ２０７）、買付けるコンテンツの選択を実施する。ここで、該当するコンテンツが無い場合、コンテンツの買付け処理を終了する（Ｓ２０５）。
【０１０７】
５）  購買見積処理（Ｓ２０８）
購買処理手段２１１は、ステップＳ２０６で選択されたコンテンツメタ情報に基づき、購買文書入出力手段２１６を経由してコンテンツ提供装置４に注文データを送信するとともに、保存管理手段２４２を介して注文情報データベース２４２ｅに保存する。ここで、購買文書入出力手段２１６は、コンテンツ提供装置４に対して電子的な情報交換（ＥＤＩ、ｅｂＸＭＬ、ＨＴＴＰ）プロトコルに基づいて送受信データのフォーマット変換及び通信処理を実施する。
【０１０８】
購買処理手段２１１は、購買文書入出力手段２１６を介してコンテンツ提供装置４からの注文データの回答を受信すると、受信した注文データの回答によるコンテンツ価格情報とステップＳ２０２で算出された購入コンテンツ価格決定方式Ａ１に基づく「ジャンル傾向」別コンテンツ購入価格とを比較し（Ｓ２０９）、注文データに対するコンテンツ価格情報が「ジャンル傾向」別コンテンツ購入価格以下である場合、契約可能と判定する。
【０１０９】
購買処理手段２１１は、契約可能と判定した場合、先に注文情報データベース２４２ｅに保存した注文データを更新する。
【０１１０】
また、購買処理手段２１１は、買付け契約可能と判定したコンテンツの注文成立情報を契約処理手段２１７に送出する。ここで、契約処理手段２１７は、購買契約処理を実施する（Ｓ２１０）。
【０１１１】
一方、購買処理手段２１１は、注文データの回答によるコンテンツ価格情報が「ジャンル傾向」別コンテンツ購入価格以上である場合、契約不可能と判定する。
【０１１２】
なお、契約不可能と判定されたコンテンツは、コンテンツ提供装置４から提示された注文データの回答に基づき、以下に記述する販売条件評価Ａ３の各項目を除外しつつコンテンツ購入価格を下げながら再交渉する場合と契約交渉破棄の場合とが有る。
【０１１３】
＜販売条件評価Ａ３＞
ａ）  広告付きコンテンツ
・広告費収入で評価する。コンテンツに広告挿入ができる場合、高評価とする。
【０１１４】
・コンテンツ販売実績に応じて広告費の追加収入がある。
【０１１５】
ｂ）  権利条件
・二次利用権等、著作権の利用許諾に関する権利条件の良いものを評価する。
【０１１６】
・許諾条件毎にコンテンツ評価を高評価とする。
【０１１７】
＊再交渉処理について
そこで、購買処理手段２１１は、購買判定処理手段２１２に対し、コンテンツを再計算させるための販売条件評価Ａ３の項目を設定する。購買判定処理手段２１２は、ステップＳ２０２の結果と販売条件項目Ａ３の項目とをコンテンツ評価装置１００に送信し、コンテンツ評価装置１００に再計算を指示する。
【０１１８】
コンテンツ評価装置１００は、販売条件項目Ａ３の項目の除外ごとのコンテンツ購入価格情報を評価し、購買判定処理手段２１２に送信する。購買判定処理手段２１２は、販売条件項目Ａ３の各項目の除外ごとのコンテンツ購入価格情報を受け取り、購買処理手段２１１に送出する。購買処理手段２１１は、購買判定処理手段２１２から送られてくる新たなコンテンツ購入価格情報に基づき、注文データを作成し、購買文書入出力手段２１６を経由してコンテンツ提供装置４に送信し再交渉を実施する。
【０１１９】
＊契約交渉破棄について
購買処理手段２１１は、コンテンツ提供装置４の提示された注文データの回答がコンテンツ購入価格よりもかなり高い価格に設定されている場合、コンテンツ買付処理を終了する。
【０１２０】
６）  購買契約処理（Ｓ２１０）
購買処理手段２１１は、前述したように契約可能と判定したとき、コンテンツの注文成立情報を契約処理手段２１７に送出する。契約処理手段２１７は、注文成立情報に基づいて購買契約処理を開始する。契約処理手段２１７は、保存管理手段２４１を介して蓄積装置２４２の注文情報データベース２４２ｅの注文データから購入価格を含む契約データを作成し、蓄積装置２４２の注文情報データベース２４２ｅに格納する。また、契約処理手段２１７は、作成された契約データを契約文書入出力手段２１８を経由してコンテンツ提供装置４に送信する。なお、契約文書入出力手段２１８は、コンテンツ提供装置４に対して電子的な情報交換（ＥＤＩ、ｅｂＸＭＬ、ＨＴＴＰ）プロトコルにより送受信データのフォーマット変換及び通信処理を実施する。
【０１２１】
さらに、契約処理手段２１７は、契約文書入出力手段２１８を経由してコンテンツ提供装置４から送信されてくる契約データの回答を受信すると、回答内容を確認し、契約が成立する。
【０１２２】
契約処理手段２１７は、契約成立した契約データを保存管理手段２４１を介して契約情報データベース２４２ｆの契約データを更新し、また契約データに対する回答データも保存する。
【０１２３】
ここで、契約処理手段２１７は、契約が成立すると、入荷管理処理部２２０のデータ検収処理手段２２１及び会計管理処理部２３０の入出金管理手段２３１にそれぞれ契約成立情報を入力する。
【０１２４】
７）  コンテンツ入荷処理（Ｓ２１１）
入荷管理処理部２２０のデータ検収処理手段２２１は、契約処理手段２１７から契約成立情報を受け取ると、コンテンツ入荷処理を開始する。すなわち、データ検収処理手段２２１は、契約成立情報に基づき、保存管理手段２４１を用いて蓄積装置２４２の契約情報データベース２４２ｆに保存される契約情報を検索し、また同じく保存管理手段２４１を介して蓄積装置２４２のコンテンツメタ情報データベース２４２ｂからコンテンツメタ情報を取得する。
【０１２５】
データ検収処理手段２２１は、以上のように契約成立情報を受け取り、かつ、コンテンツメタ情報を取得した後、コンテンツ提供装置４から送られてくるコンテンツの受信待ちとなる。データ検収処理手段２２１は、コンテンツ提供装置４からデータ送受信手段２２２を介してコンテンツ、コンテンツメタ情報を受信すると、これら受信したデータに誤りがないか、巡回冗長符号やチェックサム等の確認処理を実施する。データに誤りが無ければ、コンテンツ提供装置４から受信したコンテンツメタ情報と蓄積装置２４２のコンテンツメタ情報データベース２４２ｂに保存されるコンテンツメタ情報とを比較し、内容確認を実施する。
【０１２６】
データ検収処理手段２２１は、コンテンツ、コンテンツメタ情報の内容確認後、受信したコンテンツメタ情報を蓄積装置２４２のコンテンツメタ情報データベース２４２ｂに、また受信したコンテンツをコンテンツデータベース２４２ａにそれぞれ格納し、さらに検収情報を会計管理処理部２３０の入出金管理手段２３１に送出する。
【０１２７】
さらに、データ検収処理手段２２１は、コンテンツ、コンテンツメタ情報の内容確認後、コンテンツ、コンテンツメタ情報が更新されたことをコンテンツ管理処理手段２２３に送出する。
【０１２８】
ここで、コンテンツ管理処理手段２２３は、コンテンツメタ情報管理手段２２４に電子商品流通システム３で使用するコンテンツメタ情報の作成を要求する。このコンテンツメタ情報管理手段２２４は、コンテンツメタ情報取得処理手段２２５を経由してコンテンツ著作権情報管理団体が所持する端末７に対し、ユニークなコンテンツ著作権ＩＤを取得する。
【０１２９】
コンテンツメタ情報管理手段２２４は、保存管理手段２４１を用いて、蓄積装置２４２のコンテンツメタ情報データベース２４２ｂに格納されるコンテンツメタ情報を取得し、データ検収処理手段２２１に送出する。このデータ検収処理手段２２１は、コンテンツメタ情報の中に先のユニークなコンテンツ著作権ＩＤを書込むことによりコンテンツメタ情報を更新し、保存管理手段２４１を用いて、蓄積装置２４２のコンテンツメタ情報データベース２４２ｂに格納する。
【０１３０】
８）  購買請求処理（Ｓ２１２）
会計管理処理部２３０の入出金管理手段２３１は、契約処理手段２１７から契約成立情報を受け、またデータ検収処理手段２２１から検収情報を受けると、購買請求処理を開始する。すなわち、入出金管理手段２３１は、契約成立情報及び検収情報を受けた後、コンテンツ提供装置４から請求データを受信するまで待機する。
【０１３１】
このとき、請求処理手段２３２は、伝票入出力手段２３３を経由して請求データを受信すると、入出金管理手段２３１に対して請求データの受信を通知する。
【０１３２】
この入出金管理手段２３１は、契約成立情報、検収情報に基づいて請求データの内容確認を実施し、正しければ保存管理手段２４１を用いて、蓄積装置２４２の伝票データベース２４２ｃに請求データを保存する。さらに、入出金管理手段２３１は、決済入出力手段２３４を経由し、請求データの内容に基づき、金融機関、クレジット会社が所持する端末６に入金処理を行う。
【０１３３】
なお、決済入出力手段２３４は、金融機関、クレジット会社が所持する端末６に対し、電子的な情報交換（ＥＤＩ、ｅｂＸＭＬ、ＨＴＴＰ）プロトコルにより送受信データのフォーマット変換及び通信処理を実施する。そして、入出金管理手段２３１は、入金後、領収データを作成し、領収処理手段２３５に送出する。
【０１３４】
この領収処理手段２３５は、コンテンツ提供装置４に対して電子的な情報交換（ＥＤＩ、ｅｂＸＭＬ、ＨＴＴＰ）プロトコルにより送受信データのフォーマット変換及び通信処理を実施する。一方、入出金管理手段２３１は、保存管理手段２４１を用いて、蓄積装置２４２の伝票データベース２４２ｃに領収データを保存する。
【０１３５】
また、入出金管理手段２３１は、広告購入部４１０からペイバックの料金情報を受け、ペイバックの支払処理を開始する。このペイバック処理は、前記請求処理に対して、請求処理手段２３２が、伝票入出力手段２３３を経由して請求データを受信し、入出金管理手段２３１に対して請求データの受信を通知した場合、入出金管理手段２３１は、請求データの内容にペイバック金額を加算して、金融機関、クレジット会社が所持する端末６に入金処理を行う。
【０１３６】
従って、以上のようなコンテンツ買付装置２００の実施の形態によれば、コンテンツの買付けに際し、コンテンツ評価装置１００の評価分析結果に基づいてコンテンツ購入価格を決定し、コンテンツ評価装置１００から販売実績評価に関する情報を取得し、最終的にコンテンツ購入価格を決定する。そして、予め保存されている仕入先を検索し、注文データを送信し、価格的に折り合ったとき、コンテンツの購入契約を果たすので、優良コンテンツの供給の促進に貢献することが可能である。
【０１３７】
（５）  コンテンツ評価装置１００について。
【０１３８】
図７はコンテンツ評価装置１００の一実施の形態を示す構成図である。
【０１３９】
このコンテンツ評価装置１００は、例えば評価／分析管理処理部１１０とデータ収集処理部１２０とデータ分析処理部１３０とデータ報告処理部１４０と保存管理処理部１５０とによって構成されている。
【０１４０】
評価／分析管理処理部１１０は、各装置２００〜４００から評価／分析要求を受付け、この受け付けた要求内容に応じた評価項目、評価手法、選択変換情報、報告形式等に関する情報を対応するデータ収集処理部１２０、データ分析処理部１３０、データ報告処理部１４０等に設定し、評価分析処理の開始指示を送出する。
【０１４１】
データ収集処理部１２０は、評価／分析管理処理部１１０から設定される評価項目及び選択変換情報のうち、評価項目に従ってネットワーク装置１、視聴者装置２およびシステム内部の必要な処理部、手段からデータを収集し、また処理情報である選択変換情報に従って保存管理処理部１５０から選択変換情報の処理手法を検索する。そして、データ収集処理部１２０は、選択変換情報の処理手法に基づき、収集データの中から必要なデータを選択し、結果データを作成する機能をもっている。
【０１４２】
データ分析処理部１３０は、評価／分析管理処理部１１０から評価手法が設定されると、保存管理処理部１５０から評価手法の処理手法を検索し、この処理手法に従って処理可能な状態に設定し、前記データ収集処理部１２０で作成された結果データについて検索された評価手法の処理手法（処理アルゴリズム）に従って処理データを作成する機能をもっている。
【０１４３】
データ報告処理部１４０は、評価／分析管理処理部１１０から報告形式が設定されると、保存管理処理部１５０から報告形式の処理手法を検索し、この処理手法に従って処理可能な状態に設定し、前記データ広告処理部１４０で作成された処理データについて報告形式の処理手法に従って報告形式データを作成し、評価/分析要求先に送信する機能をもっている。
【０１４４】
保存管理処理部１５０は、各処理部１００〜１４０からの要請に従ってデータの読み出し、データの書込み処理を実行する保存管理手段１５１と蓄積装置１５２とが設けられている。蓄積装置１５２は、保存管理ネットワーク装置１や視聴者装置２から収集したデータやコンテンツ評価システム１００の所要とする処理結果のデータを格納する収集データデータベース１５２ａ、分析手法に関係するデータを格納する分析手法データベース１５２ｂ、評価／分析結果に関係するデータを格納する評価／分析結果データベース１５２ｃ、選択変換情報を格納する選択変換情報データベース１５２ｄ、報告形式データを格納する報告形式情報データベース１５２ｅが設けられている。
【０１４５】
次に、コンテンツ評価装置１００における処理の一例について図８を参照して説明する。
【０１４６】
１）  評価／分析要求（Ｓ１０１）
評価／分析管理処理部１１０の評価／分析要求入力手段１１１は、データベース操作言語や言語アプリケーションインターフェース等が実装され、コンテンツ買付装置２００、コンテンツ配信装置３００、広告取得処理装置４００からの評価／分析要求を受付け、評価／分析処理制御手段１１２に通知する。
【０１４７】
２）  評価／分析内容検索（Ｓ１０２）
評価／分析処理制御手段１１２は、評価／分析要求入力手段１１１から通知を受けた評価／分析要求内容を確認する。この確認結果、評価／分析の要求項目（評価手法、評価項目、報告形式、選択変換情報）の何れが既に保管管理処理部１５０の蓄積装置１５２の一部を構成する分析手法データベース１５２ｂに登録されている項目を指定する情報である場合、情報検索要求を評価／分析情報検索処理手段１１３に通知する。評価／分析情報検索処理手段１１３は、保存管理手段１５１を用いて、蓄積装置１５２の分析手法データベース１５２ｂを検索し、その検索結果を評価／分析処理制御手段１１２に送出する。
【０１４８】
なお、前記評価／分析の要求項目は以下に掲げるような評価手法、評価項目、報告形式、選択変換情報等が挙げられる。
【０１４９】
ａ）  評価手法
評価手法には以下のような評価・分析手法が用いられる。
【０１５０】
＊  単回帰分析、重回帰分析、主成分分析
＊  販売実績：ＡＢＣ分析、カテゴリー分析
このような評価手法を用いることにより、販売分析、コンテンツ分析、広告分析、顧客分析、販売促進効果分析等が可能となる。
【０１５１】
なお、評価/分析は、以上のような確立された評価手法や予め蓄積装置１５２に登録される評価手法が用いられる。
【０１５２】
ｂ）  評価項目
評価項目に対しては、外部からシステム上で定義された情報を与える他、予め蓄積装置１５２の分析手法データベース１５２ｂに登録されている評価項目に関する情報を用いる。
【０１５３】
評価項目には分析項目が挙げられる。
【０１５４】
＊  販売分析
販売分析に必要な情報のうち、視聴者装置２のナビゲーションシステムから収集可能な情報
・商品（コンテンツ）、商品コード（コンテンツコード）、商品種類（ジャンル）、商品名、販売数、時期、顧客コード、メーカ名（コンテンツプロバイダ）、コンテンツロイヤリティ料、ディスカウント価格（実販売価格）、
・メーカ名（コンテンツプロバイダ）、顧客コード、顧客名、住所、与信情報、コンテンツ情報（コンテンツメタ情報）
販売分析に必要な情報のうち、ネットワーク装置１から収集可能な情報
・通信キャリア（顧客コード、顧客名、与信情報、ネットワーク情報、サービス情報）その他一般顧客に関係する情報
販売分析に必要な情報のうち、電子商品流通システム３自身が予め所持している情報
・減価償却費に関係する情報
・損益計算に関係する情報
・損益分岐点に関係する情報
・売上に関係する情報
・広告売上高に関係する情報
＊  コンテンツ分析
コンテンツ分析に必要な情報のうち、視聴者装置２のナビゲーションシステムから収集可能な情報
・商品（コンテンツ）情報、商品コード（コンテンツコード）、商品種類（ジャンル）、商品名、販売数、時期、顧客コード、メーカ名（コンテンツプロバイダ）、ディスカウント価格（実販売価格）、
・メーカ名（コンテンツプロバイダ）、顧客コード、顧客名、住所、与信情報、コンテンツ情報（コンテンツメタ情報）
コンテンツ分析に必要な情報のうち、ネットワーク装置１から収集可能な情報
・通信キャリア（顧客コード、顧客名、与信情報、ネットワーク情報、サービス情報）
・一般顧客に関係する情報
・配信コスト関係する情報
コンテンツ分析に必要な情報のうち、視聴者装置２の再生装置やナビゲーションシステムから収集可能な情報
・視聴率に関係する情報
＊  その他広告分析、顧客分析、販売促進効果分析等が挙げられる。
【０１５５】
ｃ）  報告形式
評価手法で評価／分析された情報の報告形式を意味し、予め蓄積装置１５２の分析手法データベース１５２ｂに保存されている。報告形式としては、例えばフォーマット形式とフォーマット変換情報とに分けられ、フォーマット形式としてはアプリケーションインターフェース・フォーマット、帳票フォーム、帳票フォーマットを規定し、フォーマット変換情報としてはデータ形式変更、データ可視化・グラフ化変換などが規定化されている。
【０１５６】
ｄ）  選別変換情報
この選別変換情報とは次のようなものを指す。
【０１５７】
＊  フィルタ項目：評価項目の中からフィルタ操作する項目を指定する。
【０１５８】
＊  変換アルゴリズム
・指定されたデータをランダムなデータに置換する。
【０１５９】
・指定されたデータを空データとする。
【０１６０】
・指定されたデータを特定データで置換する。
【０１６１】
・指定されたデータの一部に特定データを挿入する。
【０１６２】
なお、以上の評価手法、評価項目、選択変換情報、報告形式等は、蓄積装置１５２を構成する分析手法データベース１５２ｂ、選択変換情報データベース１５２ｄ、報告形式情報データベース１５２ｅなどに登録され、各装置２００から４００から評価／分析要求を受けたとき、特にデータ分析処理部１３０のデータ分析手段１３１により評価／分析のために使用される。
【０１６３】
３）  評価／分析処理指示（Ｓ１０３）
評価／分析情報検索処理手段１１３は、ステップＳ１０２において、評価／分析の要求項目に応じて、蓄積装置１５２の分析手法データベース１５２ｂを検索し、その検索結果を評価／分析処理制御手段１１２に送出する。ここで、評価／分析処理制御手段１１２は、データ収集処理制御手段１１４を経由して検索結果である処理情報（評価項目）をデータ収集処理部１２０のデータ収集制御手段１２１に設定する。データデータ収集制御手段１２１は、データ収集手段１２２を起動し、処理情報（評価項目）を設定する。
【０１６４】
また、評価／分析処理制御手段１１２は、データ収集処理制御手段１１４を経由して検索結果である処理情報（選別変換情報）をデータ収集処理部１２０のデータ収集制御手段１２１に設定する。このデータ収集制御手段１２１は、設定された処理情報（選別変換情報）をデータ収集手段１２２及びデータ選別手段１２３に設定する。また、データ収集処理制御手段１１４は、データ収集手段１２２に設定した評価項目についてもデータ選別手段１２３に設定する。従って、データ収集手段１２２及びデータ選別手段１２３は、１対１の組み合わせとなっており、収集目的に応じて同時に実行される場合がある。
【０１６５】
このデータ選別手段１２３は、データ選別情報設定手段１２４に対し、処理情報（選別変換情報）の処理手法の検索を指示する。このデータ選別情報設定手段１２４は、保存管理手段１５１を用いて、蓄積装置１５２の選択変換情報データベース１５２ｄから処理手法（選択変換情報）を検索し、この検索結果をデータ選択手段１２３に送出する。データ選択手段１２３は、検索結果の処理手法を評価・分析管理処理部１１０の評価／分析処理制御手段１１２に設定する。
【０１６６】
評価／分析処理制御手段１１２は、データ分析処理制御手段１１５を経由してデータ分析処理部１３０のデータ分析制御手段１３２に処理情報である評価項目情報を設定する。データ分析制御手段１３２は分析処理設定手段１３３に評価項目情報を設定する。この分析処理設定手段１３３は、分析処理検索手段１３４に対し、評価項目の処理手法の検索を指示する。
【０１６７】
分析処理検索手段１３４は、保存管理手段１５１を用いて、蓄積装置１５２の分析手法データベース１５２ｂから処理手法を検索し、この検索結果を分析処理設定手段１３３に送出する。
【０１６８】
ここで、分析処理設定手段１３３は、処理手法の内容に応じて以下の処理を実行する。
【０１６９】
ａ）  データ分析手段１３１の生成
分析処理設定手段１３３は少なくとも１つのデータ分析手段１３１を生成する。処理手法に応じて、必要とされる全てのデータ分析手段１３１を生成する。
【０１７０】
ｂ）  データ分析手段１３１への個別処理手法の設定
分析処理設定手段１３３は、個別の処理アルゴリズムをデータ分析手段１３１に設定する。
【０１７１】
ｃ）  データ分析手段１３１の結合
分析処理設定手段１３３は、処理手法に応じてデータ分析手段１３１の構成情報をデータ分析手段間接続手段１３５に設定する。この構成情報とは例えば次の意味である。データ分析手段１３１により実行する処理は、集計計算、統計計算などの複数の工程を用いて分析する必要があるので、複数のデータ分析手段１３１を所定の順序で接続しながら計算を実行するための情報である。つまり、データ分析手段間接続手段１３５は一つの処理手法を構成する複数のデータ分析手段１３１を結合する（処理手法間の結合）。また、データ分析手段間接続手段１３５は一つの処理手法を構成する複数のデータ分析手段１３１を結合する（処理手法間の結合）。データ分析手段間接続手段１３５はデータ分析入出力手段１３６と一つの処理手法を構成する複数のデータ分析手段１３１とを結合する（データ入出力の結合）。
【０１７２】
以上のような処理を実施するための全部のデータ分析手段１３１の構成、結合情報は、分析処理設定手段１３３が管理する。
【０１７３】
さらに、評価／分析処理制御手段１１２は、データ報告処理制御手段１１６を経由してデータ報告処理部１４０のデータ報告制御手段１４１に処理情報（報告形式）を設定する。データ報告制御手段１４１は報告処理設定手段１４２に処理情報（報告形式）を設定する。報告処理設定手段１４２は報告処理検索手段１４３に処理情報である報告形式の検索を指示すると、報告処理検索手段１４３は、保存管理手段１５１を用いて、蓄積装置１５２の報告形式情報データベース１５２ｅから報告形式を検索し、この検索された例えばフォーマット形式及びフォーマット変換情報を報告処理設定手段１４２に送出する。
【０１７４】
報告処理設定手段１４２は、検索結果であるフォーマット形式をデータ報告処理手段１４４に設定し、またフォーマット変換情報をデータ変換処理手段１４５に設定する。さらに、報告処理設定手段１４２は、データ報告処理手段１４４とデータ変換処理手段１４５とを結合する。
【０１７５】
このような一連の処理によってデータ収集処理部１２０、データ分析処理部１３０、データ報告処理部１４０は処理可能な状態に準備される。
【０１７６】
そこで、評価／分析処理制御手段１１２は、データ収集処理制御手段１１４を経由してデータ収集処理部１２０のデータ収集制御手段１２１に処理開始を指示する。このデータ収集制御手段１２１は、データ収集手段１２２、データ選別手段１２３及びデータ収集入力手段１２５に対して処理開始を指示する。
【０１７７】
また、評価／分析処理制御手段１１２は、データ分析処理制御手段１１５を経由してデータ分析処理部１３０のデータ分析制御手段１３２に処理開始を指示する。このデータ分析制御手段１３２は、分析処理設定手段１３３を経由してデータ分析手段１３１とデータ分析入出力手段１３６とに処理開始を指示する。
【０１７８】
さらに、評価／分析処理制御手段１１２は、データ報告処理制御手段１１６を経由してデータ報告処理部１４０のデータ報告制御手段１４１に処理開始を指示する。データ報告制御手段１４１は、報告処理設定手段１４２を経由してデータ報告処理手段１４４とデータ変換処理手段１４５とに処理開始を指示する。
【０１７９】
４）  データ収集処理（Ｓ１０４）
データ収集手段１２２は、ネットワーク装置１と視聴者装置２と電子商品流通システム３内の処理部、手段から評価項目に従ったデータを収集する。このデータ収集手段１２２が使用するデータ収集のためのインターフェースは、データベース操作言語やネットワーク管理プロトコル（ＳＮＭＰ、ＯＳＩ管理）、ＨＴＴＰプロトコル、言語アプリケーションインターフェース等を使用する。
【０１８０】
５）  データ選択処理（Ｓ１０５）
データ収集手段１２２は収集したデータをデータ選別手段１２３に送出する。このデータをデータ選別手段１２３は、選別変換情報に基づいて収集データの中の該当する収集データを選別、変換し、結果データを作成し、データ収集入出力手段１２５に送出する。ここで、データ収集入出力手段１２５は、保存管理手段１５１を用いて、蓄積装置１５２の収集データデータベース１５２ａに格納する。
【０１８１】
６）  データ分析処理（Ｓ１０６）
一方、データ分析手段１３１は、データ分析入出力手段１３６を経由してデータ収集入出力手段１２５に対し、結果データの取得要求を送出する。このデータ収集入出力手段１２５は、保存管理手段１５１を用いて、蓄積装置１５２の収集データデータベース１５２ａから結果データを取得し、データ分析入出力手段１３６に渡す。ここで、データ分析入出力手段１３６は、データ分析手段１３１に結果データを送出する。このデータ分析手段１３１は、入力される結果データを評価手法の処理アルゴリズムに従って処理し、この処理データをデータ分析入出力手段１３６に送出する。
【０１８２】
７）  データ変換処理（Ｓ１０７）
さらに、データ報告処理部１４０のデータ報告処理手段１４４は、データ報告入出力手段１４６を経由してデータ分析入出力手段１３６に処理データの処理データの取得要求を出す。データ分析入出力手段１３６は、処理データをデータ報告入出力手段１４６を経由してデータ報告処理手段１４４に送出する。このデータ報告処理手段１４４は、受け取った処理データをデータ変換処理手段１４５に入力する。ここで、データ変換処理手段１４５は、入力される処理データに関し、報告形式にフォーマット変換情報に従ってフォーマット変換、グラフ化変換等の処理を実施し、この処理結果をデータ報告処理手段１４４に送出する。
【０１８３】
８）  データ出力処理（Ｓ１０８）
データ報告処理手段１４４は、データ変換処理手段１４５から入力される処理結果をフォーマット形式に従って帳票フォーマット挿入処理や要求先となるコンテンツ買付装置２００、コンテンツ評価装置３００、広告取得処理装置４００のインターフェース形式への挿入処理を実施し、報告形式データを作成する。このデータ報告処理手段１４４は、保存管理手段１５１を用いて、報告形式データを報告形式情報データベース１５２ｅに保存する。
【０１８４】
また、データ報告処理手段１４４は、報告形式データを、データ報告入出力手段１４６を経由して評価／分析要求先であるコンテンツ買付装置２００、コンテンツ評価装置３００、広告取得処理装置４００に対して提供する。この評価／分析応答のためのデータ報告入出力手段１４６のコンテンツ買付装置２００、コンテンツ評価装置３００、広告取得処理装置４００に対するインターフェースは、データ操作言語や言語や言語アプリケーションインターフェース等により実装される。
【０１８５】
従って、以上のようなコンテンツ評価装置１００の実施の形態によれば、コンテンツ買付装置２００、コンテンツ評価装置３００、広告取得処理装置４００からコンテンツの評価分析内容に応じて、所定の評価手法、評価項目のもとにコンテンツを評価分析し、この評価分析結果を選択変換情報に従って所要のフォーマットに変換し、報告データを作成し、要求先に送信するので、優良な評価分析結果を要求先に提供でき、例えばコンテンツ買付装置２００は、コンテンツ提供装置４からコンテンツを買付ける場合にも有効な指標となるものである。
【０１８６】
なお、上記実施の形態は、コンテンツ買付装置２００等からコンテンツの評価分析の要求があった例を説明したが、例えばコンテンツ評価装置１００が多数の視聴者装置２からコンテンツ視聴情報を取得し、またネットワーク装置１から所要とする情報を取得し、各ジャンル毎のコンテンツを評価し、優良なコンテンツを選定し、コンテンツ買付装置２００に提示し、コンテンツの供給を促進することも可能である。
【０１８７】
（６）  コンテンツ配信装置３００について。
【０１８８】
図９はコンテンツ配信装置３００の一実施の形態を示す構成図である。
【０１８９】
このコンテンツ配信装置３００は、コンテンツ処理部３１０と広告処理部３２０とコンテンツ−広告処理部３３０とコンテンツ選択促進部３４０とコンテンツ−広告配信部３５０と保管管理処理部３６０とによって構成されている。
【０１９０】
前記コンテンツ処理部３１０は、コンテンツ情報入力手段３１１、コンテンツ入力手段３１２、コンテンツ保護登録手段３１３、視聴情報入力手段３１４、課金情報入力手段３１５及び課金情報分配手段３１６によって構成されている。
【０１９１】
コンテンツ情報入力手段３１１は、コンテンツ買付装置２００からコンテンツの購入完了通知を受けたとき、購入されたコンテンツのコンテンツ情報をコンテンツ買付装置２００から取り込む機能をもっている。このコンテンツとは、コンテンツ買付装置２００がコンテンツ評価/分析要求のもとにコンテンツ評価装置１００から受け取ったコンテンツとコンテンツ買付装置２００がコンテンツ評価装置１００から直接受け取る優良コンテンツとを意味する。
【０１９２】
コンテンツ入力手段３１２は、コンテンツ情報入力手段３１１でコンテンツ情報を受け取った後、当該コンテンツ情報に含まれるコンテンツの位置情報に基づいてコンテンツ買付装置２００からコンテンツを取り込むものである。コンテンツ保護登録手段３１３は、コンテンツ買付装置２００から取り込んだコンテンツ情報及びコンテンツに対し、暗号化、電子透かし（Water  Mark）などの保護を講じて蓄積装置３６２に保存するとともに、コンテンツ−広告処理手段３３０に通知する。視聴情報入力手段３１４は、コンテンツ評価装置１００に要求し、コンテンツおよび広告の視聴に関する視聴統計情報を取り込み、この情報の中からコンテンツ視聴情報を取出してコンテンツ−広告処理手段３３０に送信する。
【０１９３】
課金情報入力手段３１５は、コンテンツ評価装置１００に要求し、コンテンツおよび広告の視聴に関する課金情報を取り込んだ後、例えば時期や季節等における統計処理を施し、その統計処理結果を課金情報分配手段３１６にてコンテンツ買付装置２００及び広告取得処理装置４００に分配する機能をもっている。
【０１９４】
前記広告処理部３２０は、広告情報入力手段３２１、広告入力手段３２２、広告保護登録手段３２３及び広告枠情報出力手段３２４によって構成されている。
【０１９５】
広告情報入力手段３２１は、広告取得処理装置４００からコンテンツに対する広告枠購入処理の通知を受け、広告枠情報を含む広告コンテンツ情報を広告取得処理装置４００から取り込み、また広告入力手段３２２は取り込んだ広告コンテンツ情報に含まれる広告の位置情報に基づいて広告取得処理装置４００から広告を取り込む機能をもっている。
【０１９６】
広告保護登録手段３２３は、広告コンテンツに対し、電子透かしなどの保護を講じて蓄積装置３６２に保存するとともに、広告入力処理の完了をコンテンツ−広告処理部３３０に通知する。
【０１９７】
前記コンテンツ−広告処理部３３０は、番組編成データ生成手段３３１、広告枠管理手段３３２、広告枠情報入出力手段３３３、配信制御情報生成登録手段３３４が設けられている。
【０１９８】
また、コンテンツ−広告処理部３３０には、番組案内制御データ生成登録手段３３５、番組案内制御データ送信手段３３６、番組選択情報受信手段３３７及び配信制御情報検索出力手段３３８が設けられている。
【０１９９】
番組編成データ生成手段３３１は、コンテンツ処理部３２０からコンテンツを含むコンテンツ情報を受け取ると、このコンテンツ情報を解析し、コンテンツの広告枠情報を意識しながら広告枠情報及びコンテンツ及び広告の配信順序、配信時間、コンテンツ及び広告の視聴者装置２内に接続されるモニタ内での表示位置などを決定することにより仮番組編成データを生成し、広告枠情報を広告枠管理手段３３２、広告枠情報入出力手段３３３及び広告取得処理装置４００を介して広告提供装置５に提供し、広告枠を販売する。また、番組編成データ生成手段３３１は、広告提供装置５から広告枠購入契約を受けた後、広告コンテンツ情報を受け取ると、広告枠を用いて広告コンテンツを挿入した番組編成を実施し、番組配信制御データを生成し、番組を配信する。
【０２００】
なお、番組編成データ生成手段３３１は、未だコンテンツに対する未購入の広告枠が存在すれば、個人の嗜好情報、地域の嗜好情報を加味し、当該コンテンツに対して適当と思われる広告を選択し、未購入の広告枠に対して選択された広告を挿入した広告枠とし、当該コンテンツの全ての広告枠に対し、適切な広告を挿入した番組を構成する。
【０２０１】
配信制御情報生成登録手段３３４は、番組編成データ生成手段３３１により生成された番組編成データのもとに番組の配信制御情報を生成し、広告枠情報とともに、保存管理手段３６１を用いて、蓄積装置３６２の配信制御情報データベース３６２ｈ及び広告枠データベース３６２ｉに保存し管理する。
【０２０２】
番組案内制御データ生成登録手段３３５は、番組編成データ生成手段３３１により生成された番組構成データを取り込み、番組案内に必要な制御データを生成し、保存管理手段３６１を用いて、蓄積装置３６２の番組案内情報データベース３６２ｇに保存するともに、番組案内制御データ送信手段３３６を経由してコンテンツ選択促進部３４０に送出する。このコンテンツ選択促進部３４０は、番組案内データを視聴者装置２に提供する。
【０２０３】
番組選択情報受信手段３３７は、視聴者装置２に番組案内データを提供後、コンテンツ選択促進部３４０側から送られてくる視聴者の選択した番組のコンテンツ選択情報を受信し、配信制御情報検索出力手段３３８に送出する。この配信制御情報検索出力手段３３８は、番組選択情報受信手段３３７から番組のコンテンツ選択情報であるｐｕｓｈ型配信データを受信すると、該当する配信制御情報を、保存管理手段３６１を用いて、既に蓄積装置３６２の配信制御情報データベース３６２ｈから検索し、コンテンツ−広告配信部３５０に送出し、またｐｕｌｌ型であれば、時間に関係なく該当するコンテンツ及びそれに付随する広告を配信する配信制御情報を、保存管理手段３６１を用いて、既に蓄積装置３６２の配信制御情報データベース３６２ｈから検索し、コンテンツ−広告配信部３５０に送出する。
【０２０４】
前記コンテンツ選択促進部３４０は番組案内データ処理手段３４１及び番組選択データ処理手段３４２により構成される。
【０２０５】
この番組案内データ処理手段３４１は、番組案内制御データ送信手段３３５から送信されてくるコンテンツの番組案内制御情報に基づいて番組案内データを作成し、保存管理手段３６１を経由して番組案内情報データベース３６２ｇに保存し、また視聴者によるコンテンツ購入促進のために視聴者装置２に送信される。なお、番組案内制御情報には、配信制御情報のポインタ、タイトル構成、広告構成、価格など案内に必要な情報が格納されている。また、番組案内データには、番組（例えばｐｕｓｈ型配信）、コンテンツ（例えばｐｕｌｌ型配信）の案内として表現される。
【０２０６】
視聴者装置２では、番組案内データを表示し、視聴者が指定した番組選択データであるコンテンツ選択情報を番組選択データ処理手段３４２に送出する。
【０２０７】
この番組選択データ処理手段３４２は、コンテンツ選択情報を受信し、配信型がｐｕｓｈ型かｐｕｌｌ型かを判断し、番組選択情報受信手段３３６に送出する。
【０２０８】
コンテンツ−広告配信手段３５０は、配信制御手段３５１、コンテンツ広告入力手段３５２、従来周知の変換圧縮手段３５３、暗号化手段３５４及び配信手段３５５が設けられている。
【０２０９】
このコンテンツ−広告配信手段３５０の配信制御手段３５１は、コンテンツ−広告処理部３３０から配信制御情報を受信すると（Ｓ３８１）、当該配信制御情報に従って最終的にはコンテンツあるいは広告の配信制御を実施する。すなわち、配信制御情報から配信型をチェックし、以下のような配信制御を行う。
【０２１０】
ａ）  配信制御手段３５１は、配信制御情報を視聴者装置２に送信し（Ｓ２８２）、視聴者装置２からコンテンツまたは広告の要求情報を取得する。配信制御手段３５１は、視聴者装置２からの要求情報に応じ、蓄積装置３６２からコンテンツまたは広告を検索し、視聴者装置２に送信する。
【０２１１】
ｂ）  配信制御手段３５１は、配信制御情報に従ってコンテンツに広告を挿入する場合、コンテンツに広告を挿入しながら視聴者装置２に送信する。視聴者装置２では、いわゆるチャンネル形式で番組を選択することにある。
【０２１２】
ｃ）  配信制御手段３５１は、番組編成を反映した配信制御情報の場合、当該配信制御情報に従い、例えばコンテンツ要素、広告、コンテンツの要素、広告、…という形式を取りながら、放送時間に対応した一つのコンテンツを視聴者装置２に送信する。これを複数回繰り返すことにより、１日２４時間の番組編成に対応した配信制御を行う。
【０２１３】
このコンテンツ−広告配信部３５０は、配信制御情報に基づいて配信制御を実施し、コンテンツと広告との取り込み、逐次フォーマットなどの変換と圧縮、暗号化、広告及びコンテンツを挿入した番組の配信を実施する。
【０２１４】
次に、コンテンツ配信装置３００における処理の一例について図面を参照して説明する。
【０２１５】
１）  コンテンツ処理部３１０の処理は、コンテンツ情報／コンテンツの取得処理と視聴情報の取得処理と課金情報取得処理とに分けられる。
【０２１６】
ａ）  コンテンツ情報／コンテンツの取得処理（図１０（ａ）参照）
コンテンツ処理部３１０は、コンテンツ買付装置２００から例えば優良コンテンツの購入完了通知を受けると、コンテンツ買付装置２００から購入された優良コンテンツのコンテンツ情報を取り込み（Ｓ３０１：コンテンツ情報入力手段）、当該コンテンツ情報に含まれる広告挿入可否情報、コンテンツの位置情報を抽出し、この位置情報を解析することにより、コンテンツ買付装置２００からコンテンツを取得する。ステップＳ３０２、Ｓ３０３はコンテンツ入力手段３１２により実行される。
【０２１７】
しかる後、コンテンツ保護登録手段３１３は、取り込んだコンテンツに対し、電子透かしなどの保護を講じた後（Ｓ３０４）、保存管理手段３６１を用いて、蓄積装置３６２内のソースコンテンツデータベース３６２ａに保存し（Ｓ３０５）、またコンテンツ情報についても同様に暗号化などの保護を講じた後（Ｓ３０６）、保存管理手段３６１を用いて、蓄積装置３６２内のソースコンテンツ情報データベース３６２ｂに保存する（Ｓ３０７）。そして、コンテンツ保護登録手段３１３は、コンテンツ等を保存した後、コンテンツ等の保存の状態をコンテンツ−広告処理部３３０に通知する。
【０２１８】
ｂ）  視聴統計情報の入手処理（図１０（ｂ）参照）
視聴情報入力手段３１４は、コンテンツ評価装置１００にコンテンツおよび広告の視聴に関する統計情報を要求し（Ｓ３１１）、このコンテンツの視聴に関する統計情報からコンテンツ視聴情報を抽出する（Ｓ３１２）。この抽出したコンテンツ視聴情報をコンテンツ−広告処理部３３０に送信する（Ｓ３１３）。同様に広告の視聴に関する統計情報から広告視聴情報を抽出し（Ｓ３１４）、この抽出した広告視聴情報をコンテンツ−広告処理部３３０に送信する（Ｓ３１５）。
ｃ）  課金情報の取得処理（図１１参照）
一方、課金情報入力手段３１５は、コンテンツ評価装置１００に視聴に対する課金情報を要求し、コンテンツ評価装置１００から課金情報を取得する（Ｓ３２１）。
【０２１９】
引き続き、この課金情報に基づき、視聴者に対する課金計算（Ｓ３２２）と広告提供者に対する課金計算と（Ｓ３２３）とコンテンツ提供者に対する課金計算を行う（Ｓ３２４）。しかる後、計算された各課金に矛盾が無いか否かを総合的にチェックし（Ｓ３２５）、矛盾が無いと判断された場合には課金情報分配手段３１６が広告取得処理装置５、コンテンツ買付装置２００、視聴者装置２にそれぞれ該当する課金結果を分配送信する（Ｓ３２６〜Ｓ３２８）。
【０２２０】
２）  広告処理部３２０の処理について（図１２参照）。
【０２２１】
広告処理部３２０の広告枠情報入出力手段３２４は、コンテンツ−広告処理部３３０に対して現在の広告枠情報を要求し（Ｓ３３１）、コンテンツ−広告処理部３３０から広告枠情報を受け取ると（Ｓ３３２）、その広告枠情報を広告取得処理装置５を経由して広告提供装置５に送信する（Ｓ３３３）。しかる後、広告取得処理装置５から広告コンテンツに対する広告枠の購入処理通知を受けると、広告情報入力手段３２１は、広告取得処理装置４００から購入された広告枠情報を含む広告コンテンツ情報を取り込んだ後（Ｓ３３４）、この広告コンテンツ情報を解析することにより広告コンテンツ情報に含まれる広告の位置情報を抽出し、広告入力手段３２２に送出する。この広告入力手段３２２は、広告の位置情報に基づいて広告取得処理装置４００を経由して広告提供装置５から広告コンテンツを取り込む（Ｓ３３５、Ｓ３３６）。
【０２２２】
さらに、広告保護登録手段３２３は、ステップＳ３３６で取り込んだ広告コンテンツに対して電子透かしなどの保護を講じた後（Ｓ３３７）、蓄積装置３６２のソース広告データベース３６２ｃに保存し（Ｓ３３８）、また広告コンテンツ情報に対して暗号化などの保護を行った後（Ｓ３３９）、蓄積装置２６２のソース広告情報データベース３６２ｄに保存し（Ｓ３４０）、コンテンツ−広告処理部３３０に広告入力処理が完了したことを通知する。
【０２２３】
３）  コンテンツ−広告処理部３２０の処理について（図１３参照）。
【０２２４】
コンテンツ−広告処理部３２０の番組編成データ生成手段３３１は、コンテンツ処理部３２０からコンテンツ入力処理の完了通知を受けると、蓄積装置３６２のデータベース３６２ａ，３６２ｂからコンテンツ及びコンテンツ情報を取り込み（Ｓ３４１）、そのうちコンテンツ情報を解析することにより（Ｓ３４２）、コンテンツ提供者のコンテンツに対する広告枠を考慮し、コンテンツ及び広告の配信順序，配信時間、コンテンツ及び広告の視聴者装置２に接続されるモニタ内の表示位置を決定するなどの仮番組編成を生成し、この仮の番組を反映した広告枠情報を作成し、蓄積装置３６２の広告枠データベース３６２ｉに保存するとともに、広告枠管理手段３２２及び広告枠情報入出力手段３３３を経由して広告処理部３２０、ひいては広告取得処理装置５に通知する（Ｓ３４３）。
【０２２５】
この番組編成データ生成手段３３１は、広告取得処理装置５から広告枠購入通知を受けると、ソース広告情報情報データベース３６２ｄから当該広告コンテンツに対応する広告コンテンツ情報（広告内容情報、広告枠購入情報、広告位置情報など）を取り込み（Ｓ３４４）、この広告コンテンツ情報を解析することにより（Ｓ３４５）、該当コンテンツに対する広告枠購入情報に基づいて仮番組を参照し、該当コンテンツに対するそれぞれの広告枠購入者の広告枠の処理を順次繰り返しながら番組編成データを生成する（Ｓ３４６）。
【０２２６】
さらに、番組編成データ生成手段３３１は、未だコンテンツに対する未購入の広告枠が存在すれば、データベース３６２ｍ等から過去の履歴に基づく視聴情報である個人の嗜好情報、地域の嗜好情報を取込み（Ｓ３４８）、これら視聴者の嗜好情報を解析し（Ｓ３４９）、コンテンツに適当と思われる広告を選択し、未購入枠に広告を挿入して広告枠とし、該当コンテンツの全ての広告枠に対して適切な広告が挿入されるように最終の番組編成データを生成し、蓄積装置３６２の番組案内情報データベース３６２ｊに登録する。
【０２２７】
しかる後、番組案内制御データ生成登録手段３３５は、、番組編成データ生成手段３３１により生成された番組構成を取り込み、番組案内に必要なデータだけをフィルターし、番組案内制御データという形に作成し（Ｓ３５２）、蓄積装置３６２の番組案内情報データベース３６２ｇに保管し（Ｓ３５３）、番組案内制御データ送信手段３３６を経由して視聴者装置２に送信する。
【０２２８】
一方、配信制御データ生成登録手段３３４は、最終的な番組編成データから番組配信データを生成し（Ｓ３５４）、この生成された番組配信データを蓄積装置３６２の配信制御情報データベース３６２ｈに保存する（Ｓ３５５）。併せて、最終決定された広告枠情報も蓄積装置３６２の広告枠データベース３６２ｉに保存する。なお、広告枠情報には、広告可能なコンテンツに対し、例えば１単位何秒の広告がどの位置に何回埋め込みできるかといった広告枠管理に必要な情報が格納され、コンテンツに対する利用可能な広告枠の管理と、どの広告枠がどのコンテンツ、広告により利用されているかとの管理が可能になっている。
【０２２９】
さらに、配信制御情報生成登録手段３３４は、配信履歴データベース３６２ｍに保存された番組配信データから広告挿入の有無を判断し（Ｓ３５６）、広告挿入と判断された場合、該当コンテンツに広告コンテンツを挿入し（Ｓ３５７）、例えばオブジェクトコンテンツデータベース３６２ｊなどに登録する（Ｓ３５８）。なお、広告挿入不可と判断されれば、上記一連の処理をスキップする。
【０２３０】
さらに、配信制御情報生成登録手段３３４は、番組案内情報データベース３６２ｇに既に登録されている番組案内データを読み出し、番組案内データに基づいて広告挿入に伴う番組案内データを生成し（Ｓ３５９）、番組案内情報データベース３６２ｇに既に登録される番組案内データを変更する（Ｓ３６２）。
【０２３１】
しかる後、番組選択情報受信手段３３７は、番組案内制御データ送信手段３３６による視聴者装置２に対する番組案内データの送信後、視聴者装置２からコンテンツ選択促進部３４０を経由して視聴者の選択した番組選択情報（コンテンツ選択情報）を入手し（Ｓ３６３）、配信制御情報検索出力手段３３８に送出する。この配信制御情報検索手段３３８は、受信された番組選択情報の中にコンテンツのポインタや広告のポインタなどに配信制御情報が格納されているので、当該配信制御情報に基づいて蓄積装置３６２の配信制御情報データベース３６２ｈから配信制御情報を検索し（Ｓ３６４）、この検索された配信制御情報をコンテンツ−広告配信部３５０に送出する（Ｓ３６５）。
【０２３２】
４）  コンテンツ選択促進部３４０の処理について（図１４参照）。
【０２３３】
番組案内データ処理手段３４１は、コンテンツ−広告処理部３３０からコンテンツの番組案内制御データを受け取ると（Ｓ３７１）、視聴者によるコンテンツ促進向けの番組案内データに変換し（Ｓ３７２）、蓄積装置３６２の番組案内情報データベース３６２ｇに保存する一方、新番組案内データとして視聴者装置２に送信する（Ｓ３７３）。なお、番組案内制御データには、配信制御情報のポインタ、タイトル構成、広告構成、価格など案内に必要な情報が格納されている。
【０２３４】
視聴者装置２は、新番組案内データに従って番組案内を表示し、視聴者が指定したコンテンツ選択情報を番組選択データ処理手段３４２に送信する。番組選択データ処理手段３４２は、番組選択情報を取込み（Ｓ３７４）、何れの配信型の選択であるかを判断し（Ｓ３７５）、コンテンツ−広告処理部３３０に送信する。
【０２３５】
コンテンツ−広告処理部３３０の番組選択情報受信手段３３７は、配信型情報を受信し、配信制御情報検索出力手段３３８に送出する。
【０２３６】
この配信制御情報検索出力手段３３８は、配信型がｐｕｓｈ型であれば、該当配信制御情報を蓄積装置３６２の配信制御情報データベース３６２ｈから検索し、コンテンツ−広告配信部３５０に送信する（Ｓ３７６）。
【０２３７】
コンテンツ−広告配信部３５０は、概略的には、コンテンツ−広告処理部３３０から配信制御情報を受信すると、当該配信制御情報に従って現在配信すべきコンテンツあるいは広告を蓄積装置３６２のソースコンテンツデータベース３６２ａ、ソース広告データベース３６２ｃから検索し、視聴者装置２に送信することになる。一方、配信型がｐｕｌｌ型であれば、時間に関係なく該当するコンテンツ及びそれに付随する広告を配信する制御情報を蓄積装置３６２の配信制御情報データベース３６２ｈから検索し、コンテンツ−広告配信部３５０に送信する（Ｓ３７６）。
【０２３８】
５）  コンテンツ−広告配信部３５０の処理について（図１５参照）。
【０２３９】
コンテンツ−広告配信部３５０は、コンテンツ−広告処理部３３０から配信制御情報を受信すると（Ｓ３８１）、当該配信制御情報に従って最終的にはコンテンツあるいは広告の配信制御を実施する。すなわち、配信制御情報から配信型をチェックし、以下のような配信制御を行う。
【０２４０】
ａ）  配信制御手段３５１は、配信制御情報を視聴者装置２に送信し（Ｓ２８２）、視聴者装置２からコンテンツまたは広告の要求情報を取得する。配信制御手段３５１は、視聴者装置２からの要求情報に応じ、蓄積装置３６２からコンテンツまたは広告を検索し、視聴者装置２に送信する。
【０２４１】
ｂ）  配信制御手段３５１は、配信制御情報に従ってコンテンツに広告を挿入する場合、コンテンツに広告を挿入しながら視聴者装置２に送信する。視聴者装置２では、いわゆるチャンネル形式で番組を選択することにある。
【０２４２】
ｃ）  配信制御手段３５１は、番組編成を反映した配信制御情報の場合、当該配信制御情報に従い、例えばコンテンツ要素、広告、コンテンツの要素、広告、…という形式を取りながら、放送時間に対応した一つのコンテンツを視聴者装置２に送信する。これを複数回繰り返すことにより、１日２４時間の番組編成に対応した配信制御を行う。
【０２４３】
このコンテンツ−広告配信部３５０は、配信制御情報を行いながら（Ｓ３８２）、コンテンツと広告との取り込み（Ｓ３８３）、逐次フォーマットなどの変換と圧縮（Ｓ３８４）、暗号化（Ｓ３８５）、配信を実施する（Ｓ３８６）。なお、予め広告が挿入されたコンテンツに対して以上のようなコンテンツと広告との取り込み、逐次フォーマットなどの変換と圧縮、暗号化、配信を行うこともできる。これとともに配信処理のログを配信履歴データベース３６２ｍに保存する。
【０２４４】
従って、以上のようなコンテンツ配信装置３００の実施の形態によれば、コンテンツ買付装置２００で買付けたコンテンツのコンテンツ情報に基づいて、広告枠情報及び仮番組を編成し、そのうち広告枠情報を広告提供装置５に送信し、番組の広告枠を販売する。広告提供者が広告を挿入する広告枠を購入契約すると、購入契約に伴って広告提供装置５から広告コンテンツ及び広告コンテンツ情報を取得し、本格的な番組を編成し、この番組編成のもとに配信制御情報および番組案内制御データを生成する。そして、番組案内制御データから作成する番組案内データを視聴者装置２に提供し、これら視聴者装置２から取得する番組選択情報に基づく配信型に基づく配信制御を実施するので、広告提供者に対する広告コンテンツの供給の促進につながり、視聴者に対しても優良コンテンツ及び広告を適切に提供可能となる。
【０２４５】
（７）  広告取得処理装置４００について。
【０２４６】
図１６は広告取得処理装置４００の一実施の形態を示す構成図である。
【０２４７】
広告取得処理装置４００は、広告枠販売前に広告提供者に対し、今後購入しようとする広告枠の過去の視聴情報（コンテンツ名、年令、性別等）を表示し、広告提供者の広告枠購入を促進させることにあり、ひいてはコンテンツに付帯するための広告を電子的に広告提供者である広告提供装置５から取得する装置でもある。なお、広告提供者は、広告枠の購入を決定した場合、後記する計算法で算出される広告料を広告取得処理装置４００側に支払うことになる。
【０２４８】
この広告取得処理装置４００が取得する広告の種類としては、例えば次のような広告である。
【０２４９】
＊  モニタ画面を空間的に利用したバナー広告（図２４参照）
＊  映像織り込み広告（図２５参照）
広告取得処理装置４００は、具体的には、予めコンテンツ配信装置３００内のコンテンツ−広告処理部３３０の番組編成データ生成手段３３１等で作成される番組編成に応じた広告枠情報を広告提供者である広告提供装置５に提示し、この広告提供装置５の広告提供者が広告枠情報を参照し、広告を入れる広告枠の購入決定情報を取得する装置である。
【０２５０】
この広告枠情報としては、例えば次のような情報が挙げられる。
【０２５１】
＊  放送される日時
＊  チャンネル情報（ＶＯＤによる配信を含む）
＊  地域情報
＊  コンテンツ情報
＊  価格等である。
【０２５２】
なお、以上の説明は、予め広告提供者との合意により、予め広告放送予定時刻を、広告提供者との合意の形により広告を入手する例であるが、例えば放送予定時刻を指定せず、ダイナミックに広告を挿入することを前提とする広告取得のケース（以下、ダイナミック挿入広告と呼ぶ）も存在する。このダイナミック挿入広告には次のようなケースがある。
【０２５３】
＊  視聴者が何らかの理由で視聴を一時停止した場合の広告
＊  チャンネル変更等、視聴者が機能変更した場合、その変更処理時間を埋めるための広告
＊  ＶＯＤサービスの場合、コンテンツダウンロード時間を埋めるための広告
＊  広告枠を提示したにも拘らず、契約されなかった枠に関する広告枠
このダイナミック挿入広告に関しては、広告提供者に対し、広告条件、広告料金の提示を行う。ダイナミック挿入広告では、広告による番組放送が保証されないが、広告コンテンツに付帯した広告コンテンツ情報により、広告提供者の顧客ターゲットに応じて広告コンテンツを配信する。広告費に関しては、登録基本価格の他、コンテンツ配信装置３００から送信される配信情報（配信回数）に応じて、広告提供者から広告枠利用による広告料を徴収する。
【０２５４】
以下、具体的に広告取得処理装置４００について説明する。
【０２５５】
この広告取得処理装置４００は、広告購入部４１０と視聴情報提供部４２０と広告情報提供部４３０と広告転送部４４０と保存管理手段４５１及び蓄積装置４５２をもつ保存管理処理部４５０とで構成されている。
【０２５６】
この広告購入部４１０は、広告提供者の与信情報の確認と蓄積装置４５２の与信情報データベース４５２ａの更新、入札情報や広告枠販売情報の管理、蓄積装置４５２の入札情報データベース４５２ｂ及び販売情報データベース４５２ｃの更新、広告料の徴収処理を行う機能をもっている。
【０２５７】
この広告購入部４１０には、配信情報処理手段４１１、会計処理手段４１２、広告価格設定手段４１３、契約処理手段４１４及び文書入出力手段４１５等が設けられている。
【０２５８】
配信情報処理手段４１１は、コンテンツ配信装置３００からの配信回数等の配信情報を受信し、配信情報データベース４５２ｇに保存し、また会計処理手段４１２に対して広告枠販売時の広告料の徴収の他、広告料の追加徴収を依頼する。
【０２５９】
会計処理手段４１２は、広告枠販売時の広告料の徴収の他、広告配信情報によりダイナミックに広告を配信した場合にはその配信回数に応じた広告料の追加徴収等の処理を実行する。
【０２６０】
広告価格設定手段４１３は、視聴情報提供部４２０から視聴情報を受け取り、広告枠毎の過去の視聴情報（視聴率）に基づいて広告料を算出する機能をもっている。
【０２６１】
契約処理手段４１４は、広告提供者の与信情報の確認処理、蓄積装置４５２の与信情報データベース４５２ａの更新処理、入札情報や広告枠販売情報の管理処理、入札情報データベース４５２ｂ、販売情報データベース４５２ｃの更新処理、広告価格設定手段４１３で算出された広告料の会計処理手段４１２への送出等の処理を行う機能をもっている。
【０２６２】
文書入出力手段４１５は、ビジネス情報の電子的な交換（ＥＤＩ：Electronic  Data  Interchange）に必要なフォーマット変換機能及び通信機能を備え、ネットワーク装置１に接続される広告提供装置５、与信サービス会社、決済サービス会社等が所持する端末６との間でビジネス情報、例えば広告料の徴収データ、広告料の追加徴収データ、広告枠販売情報等の授受を実行する。
【０２６３】
前記視聴情報提供部４２０は、コンテンツ評価装置１００からの広告枠毎の視聴情報の入手及び広告提供装置５への提示を行うものであって、視聴情報受信手段４２１、視聴情報処理手段４２２及び視聴情報送受信手段４２３等で構成されている。
【０２６４】
視聴情報送受信手段４２１は、コンテンツ評価装置１００から視聴情報を受信し、視聴情報処理手段４２２及び広告価格設定手段４１３に送出する。視聴情報処理手段４２２は、視聴情報送受信手段４２１から視聴情報を受け取り、広告枠毎の視聴情報検索画面の作成、広告提供装置５が入力した検索キーに従ってコンテンツ評価装置１００へのＣＧＩ（Common  Gateway  Interface）経由によるデータベースの問合せとその問合せ結果を表示する機能をもっている。広告視聴情報送受信手段４２３は、ＨＴＴＰ等を用いて、視聴情報処理手段４２２で作成された画面情報を送受信する機能をもっている。
【０２６５】
前記広告情報提供部４３０は、コンテンツ配信装置３００からの広告枠情報の取得、この取得した広告枠情報に対する蓄積装置４５２の広告枠情報データベース４５２ｄへの保存及び当該広告枠情報を含む広告枠販売情報の広告提供装置５への開示等を行うものであって、広告枠情報送受信手段４３１、広告枠情報処理手段４３２及び広告枠販売情報送受信手段４３３等で構成されている。
【０２６６】
広告枠情報送受信手段４３１は、コンテンツ評価装置１００から送信されてくる広告枠情報を受信し、広告枠情報処理手段４３２に送出する。この広告枠情報処理手段４３２は、広告枠情報送受信手段４３１から広告枠情報を受け取り、蓄積装置４５２の広告枠情報データベース４５２ｄに蓄積し、また広告枠販売画面の作成等を実施する機能をもっている。広告枠販売情報送受信手段４３３は、広告枠情報処理手段４３２により生成された広告枠販売画面の入出力を行う。
【０２６７】
前記広告転送部４４０は、広告コンテンツや広告コンテンツ情報を取得し、広告コンテンツデータベース４５２ｅ、広告コンテンツ情報データベース４５２ｆに保存し、かつ、コンテンツ配信装置３００に送信するものであって、広告入力手段４４１、広告管理手段４４２及び広告・情報送信手段４４３等によって構成されている。
【０２６８】
広告入力手段４４１は広告提供装置５から広告コンテンツ、広告コンテンツ情報を受信し、また広告管理手段４４２は受信した広告コンテンツ、広告コンテンツ情報を広告コンテンツデータベース４５２ｅ、広告コンテンツ情報データベース４５２ｆに保存する。情報送信手段４４３は、広告コンテンツ、広告コンテンツ情報をコンテンツ配信装置３００に送信する機能をもっている。
【０２６９】
なお、広告取得処理装置４００の一連の処理例を説明するに先立ち、広告提供装置５の概略構成について図１７を参照して説明する。
【０２７０】
広告提供装置５は、少なくとも広告取得処理装置４００から送信されてくる金額を含む契約、視聴情報、広告枠情報等の処理を実行する契約処理部５１と、契約処理部５１による契約のもとに広告コンテンツ、広告コンテンツ情報等のコンテンツ関連データを転送する広告転送部５２とが設けられている。
【０２７１】
契約処理部５１は、金額を含む契約関係の文書データを送受信する文書入出力手段５１１と、契約その他の必要に応じて所要のデータを入力する入力手段５１２と、視聴情報、広告枠情報等の送受信を行う情報送受信手段５１３と、文書入出力手段５１１及び情報送受信手段５１３で必要とする情報を表示する表示手段５１４とによって構成されている。
【０２７２】
広告転送部５２は、少なくとも広告コンテンツ、広告コンテンツ情報その他関連データを保存するデータベース５２１と、このデータベース５２１を保存管理するとともに、契約処理部５１との連携のもとにデータベース５２１から必要なデータを取出したり、追加の広告コンテンツ、広告コンテンツ情報等を保存する管理手段５２２と、広告コンテンツ、広告コンテンツ情報等を転送する広告コンテンツ関連データ転送手段５２３とが設けられている。
【０２７３】
次に、広告取得処理装置４００の処理の一例について図面を参照して説明する（図１８、図１９参照）。
【０２７４】
１）  広告枠情報入手処理（Ｓ４０１）
▲１▼  広告取得処理装置４００の広告枠情報送受信手段４３１は、コンテンツ配信装置３００との間では図２０に示すような広告枠情報の送受信処理が行われる。
すなわち、広告枠情報送受信手段４３１は、広告枠情報の送信要求を広告枠番号（シリアル番号）とともに配信装置３００に送信する。広告枠番号は広告取得処理装置４００とコンテンツ配信装置３００との間でユニークな番号とする。
【０２７５】
▲２▼  コンテンツ配信装置３００は、広告枠情報の送信要求を受信すると、送信要求によって指定された広告枠１に関する情報を送信する。この広告枠情報は、広告枠情報送受信手段４３１で受信され、広告枠情報処理手段４３２に送られる。広告枠情報処理手段４３２は、受け取った広告枠情報を蓄積装置４５２の広告枠情報データベース４５２ｄに保存する。
【０２７６】
この広告枠情報データベース４５２ｄには、例えば広告枠番号、広告挿入日、広告挿入曜日、広告挿入時刻、広告終了時刻、配信地域、広告枠タイプ（ＳＰ、ＣＣ、ＨＨ、ＳＢ：図２５参照）、広告（Ｃ、ＡＤＣ１〜ＡＤＣ５）、チャンネル情報（ＶＯＤコンテンツの場合には特殊チャンネル名）、コンテンツ情報（コンテンツ名、コンテンツジャンル、俳優、監督、売上情報、映像時間）、次の広告枠番号等が格納されている。なお、前記略称符号ＣＣはカウキャッチャー（本編前に放送される広告）、ＳＰはスポット（本編中に放送される広告）、ＨＨはヒッチハイク（本編終了後に放送される広告）、ステーションブレーク（コンテンツ外であり、コンテンツとコンテンツとの間に放送される広告）である。また、広告枠タイプがＳＰの場合、２つのコンテンツに挟まれるにはコンテンツ情報は２組となる。ここで、Ｃは映像織り込み広告とし、ＡＤＣ１〜ＡＤＣ５は図２４に示すように５つに分割したバナーエリアとする。
【０２７７】
因みに、図２１は簡単な広告挿入ポイントモデル図であって、最初の広告枠を指定する場合の次のような広告枠情報となる。
【０２７８】
＊  広告枠番号    ：１
＊  広告挿入日    ：２００１年１月１日
＊  広告挿入曜日  ：火曜日
＊  広告挿入時刻  ：８：００：００
＊  広告終了時刻  ：８：００：１５
＊  配信地域      ：サンディエゴ
＊  広告枠タイプ  ：ＣＣ
＊  広告タイプ    ：Ｃ（映像織り込み広告）
＊  チャンネル情報：ＡＢＣ（一例）
＊  コンテンツ情報：タイタニック（一例）
＊  次の広告枠番号：２
また、同時刻において、映像織り込み広告とバナー広告との両方が許されている場合、別の広告枠番号のもとに情報が送信される（図２４参照）。例えば８：００：００から８：０５：００までＡＤＣ１エリアで配信される広告枠の情報は次のような情報である。
【０２７９】
＊  広告枠番号    ：２
＊  広告挿入日    ：２００１年１月１日
＊  広告挿入曜日  ：火曜日
＊  広告挿入時刻  ：８：００：００
＊  広告終了時刻  ：８：０５：００
＊  配信地域      ：サンディエゴ
＊  広告枠タイプ  ：ｎｕｌｌ
＊  広告タイプ    ：ＡＤＣ１（バナー広告）
＊  チャンネル情報：ＡＢＣ（一例）
＊  コンテンツ情報：タイタニック（一例）
＊  次の広告枠番号：３
▲３▼〜▲６▼  従って、広告枠情報処理手段４３２は、広告枠情報送受信手段４３１から以上のような広告枠情報を受け取ると、蓄積装置４５２の広告枠情報データベース４５２ｄに保存する。
【０２８０】
コンテンツ配信装置３００は、図２０に示す▲３▼、▲４▼でそれぞれ広告枠２情報送信、広告枠３情報送信を行い、最終的に▲５▼で広告枠ｎ情報送信を行うと、次の広告枠番号に０を指定することにより、最後の広告枠番号の送信であることを示す。
【０２８１】
広告枠情報送受信手段４３１は、広告枠ｎ情報を受信すると、その受信完了通知をコンテンツ配信装置３００に送信する。なお、図２０に示す送受信プロトコルは一例であって、例えば広告枠のグループ（連続した広告のグループ）単位で情報を送信するとか、広告終了時刻の代わりに広告時間を設定するとか、ＡＤＣ１〜ＡＤＣ５が存在すること、配信地域は既知とし５回送信しないとか、あるいはカレンダー情報を有し、××曜日には放送しない等について設定することも可能である。
【０２８２】
２）  与信情報登録処理（Ｓ４０２〜Ｓ４０４）
次に、広告取得処理装置４００は、広告枠情報の受信終了後又は適宜に、広告提供装置５の登録とその与信情報の入手、与信情報の登録処理を実行する。図２２は広告取得処理装置４００の契約処理手段４１４と広告提供装置５との間の与信情報の入手プロトコルを示す図である。
【０２８３】
▲１▼  広告提供装置５側では、広告取得処理装置４００側で一般に公開されている企業登録用のＵＲＬのもとにアクセスし、広告取得処理装置４００から所要の情報を取得する。この広告提供装置５は、ＨＴＴＰ及びＴＣＰ／ＩＰ等のプロトコルのもとに情報の送受信を行う情報送受信手段５１３と、ＨＴＭＬ言語で記述された文書を表示する表示手段５１４とを備えている（図１７参照）。
【０２８４】
広告取得処理装置４００は、広告提供装置５からＵＲＬによるアクセスがあると、通常、ＨＴＴＰのＧＥＴ要求等によりＷＥＢサーバ機能をもつ契約処理手段４１４に通知される。
【０２８５】
▲２▼  この契約処理手段４１４及び文書入出力手段４１５は、広告提供装置５に対し、ＨＴＴＰプロトコルにより企業登録情報画面を送信する。広告提供装置５は表示手段５１４により企業登録情報画面を表示する。
【０２８６】
▲３▼  広告提供装置５は、キーボード、マウス等の入力手段５１２を用いて、広告取得処理装置４００に対し、予め合意の取れた外部企業与信情報サービス会社に登録された企業コードを入力する。企業与信情報サービス会社に登録されていない企業の場合にはその旨を入力する（Ｓ４０２）。この入力データは、通常ＨＴＴＰのＰＯＳＴ要求によりＷＥＢサーバ機能をもつ契約処理手段４１４に通知される。
【０２８７】
▲４▼  広告取得処理装置４００の契約処理手段４１４は、文書入出力手段４１５を介して企業コードを受けると、別のプロセスを起動し、外部企業与信情報サービス会社所持の端末（図示せず）にアクセスし、与信情報を受信し、蓄積装置４５２の与信情報データベース４５２ａに登録する（Ｓ４０４）。
【０２８８】
広告取得処理装置４００の契約処理手段４１４は、企業与信情報サービス会社に登録していない（企業コードをもたない）企業の場合、以下の情報を備えた画面を広告提供装置５に送信する。契約処理手段４１４は、企業情報に過不足が無いか否かを確認し、過不足がある場合にはその旨を広告提供装置５に通知する。企業情報が揃った時点で蓄積装置４５２の与信情報データベース２５２ａに登録する（Ｓ４０３）。
【０２８９】
＜与信情報データベース４５２ａ＞
＊  所在地
＊  代表者
＊  連絡先
＊  Ｅメールアドレス
＊  従業員数
＊  業務内容
＊  年商等売上情報
＊  主取引先（含む銀行関連）
＊  バランスシート
５）  広告枠情報表示処理（Ｓ４０５）
広告提供装置５側では、広告の広告枠情報を表示し、広告枠購入の検討に入る。図２３は広告提供装置５と広告枠情報処理手段４３２との間の広告枠情報の表示プロトコルを示す図である。なお、この広告枠情報表示処理において、前述する２）〜４）で利用した実現手段・技術等と同様な場合にはその説明に譲り、ここでは記述を省略する。
【０２９０】
▲１▼  広告提供装置５は、別途通知された広告枠情報表示のためのＵＲＬのもとに広告取得処理装置４００にアクセスする。
【０２９１】
▲２▼  広告取得処理装置４００内の通常ＷＥＢサーバ機能をもつ広告枠情報処理手段４３２は、広告枠情報の検索画面を広告提供装置５に送信する。この検索画面には次のような検索キーが設けられている。
【０２９２】
＜広告枠情報検索キー＞
この検索キーは、チャンネル情報、日付情報、時刻情報、地域情報、空枠情報、コンテンツジャンル情報等である。
【０２９３】
▲３▼  広告提供装置５は、広告枠情報検索画面の検索キーを入力する。一例としては、ＡＢＣ放送の２月１日、夜８時からの広告枠に関する情報を表示するため、チャンネル番号（ＡＢＣ）、日付情報（２月１日）、時刻情報（夜８時）を入力する。
【０２９４】
▲４▼  広告枠情報処理手段４４２は、前述する３つをキーとし、ＣＧＩを用いて、広告枠情報データベース４５２ｄから広告枠に関する情報を入手し、広告枠販売画面を構成し、広告枠販売情報として広告提供装置５に送信する。図２４は広告枠販売画面のイメージ図である。広告提供装置５は広告枠販売画面を表示する。
【０２９５】
なお、広告枠販売情報は、図２４に示すようにある一定期間（例えば１ヶ月）における対象日時（２月１日の８ｐｍ〜１０ｐｍ）の広告枠が矩形に表示されている。横方向は時間の概念を示し、対象日時に配信されるコンテンツに関する詳細情報が表示されている。矩形枠内には広告の種類分（図では映像広告分１とバナー広告５エリアのＡＤＣ１〜ＡＤＣ５との計６つ）が存在する。
【０２９６】
また、配信地域に関しても、全地域の他、本システムがカバーする全ての配信地域が選択可能になっている。さらに、週単位で同時刻選択（ベルト選択）すること、同曜日の同時刻選択（ボックス選択）することも可能である。また、広告枠販売画面の表示前に実際の視聴者側での視聴イメージ画面を表示し、広告部位（バナー広告あるいは映像そのもの）をクリックすることにより、広告枠販売画面へ移動するケースもあり得る。
【０２９７】
６）  視聴情報開示処理（Ｓ４０６）
広告提供者は、広告枠を購入するに先立ち、広告提供装置５を用いて該当する広告枠の過去の視聴情報について、広告取得処理装置４００の視聴情報送受信手段４２３を経由して視聴情報処理手段４２２に要求し、閲覧することにより、実際の購買を決定する。図２６は視聴情報開示のためのプロトコルを示す図である。
【０２９８】
▲１▼  広告提供装置５は、例えば先の広告枠販売画面の一部である検索モード選択ボタン等をクリックしする。このクリックは、実際にはＷＥＢページ獲得のためのＨＴＴＰのＧＥＴ要求であり、ＷＥＢ機能をもつ視聴情報処理手段４２２に送られる。
【０２９９】
▲２▼  視聴情報処理手段４２２は、ＧＥＴ要求を受け付けると、広告販売枠（図２４参照）の絵画面と、期間、視聴者（年令層、性別）、コンテンツ種類、広告種類等の検索キー選択の表示画面とを広告提供装置５に提供する。
【０３００】
▲３▼  広告提供装置５は、広告枠購入のために調査する部分の広告枠をクリックする前に検索キーを指定すると、広告枠の過去の視聴情報が表示される。
【０３０１】
検索例１：日付と視聴者とを指定すると、その日付における年令層、性別に分かれた視聴対象者数、視聴者数等が表示される。
【０３０２】
検索例２：期間と視聴者とを指定すると、その期間における前記視聴対象者数、視聴者数等の延べ数が表示される。
【０３０３】
検索例３：期間とコンテンツとを指定すると、その期間におけるコンテンツのジャンル毎の回数が表示される。
【０３０４】
検索例４：期間と広告コンテンツとを指定すると、その期間における広告コンテンツのジャンル毎の回数が表示される。
【０３０５】
検索例５：期間とコンテンツと広告コンテンツとを指定すると、コンテンツジャンル毎にどの商品ジャンルの広告が配信されたかが表示される。
【０３０６】
▲４▼  視聴者情報処理手段４２２は、広告提供装置５の指定された検索キーに関し、ＣＧＩを用いて、別の優良コンテンツ選択装置（図示せず）に送信し検索結果蓄積装置４５２の適宜な記憶エリアに保存する。そして、検査キーの指定内容に従って棒グラフ等で視聴者装置２に提供する。
【０３０７】
７）  入札情報受信処理（Ｓ４０７）
広告提供者は、広告提供装置５から視聴情報を見て入札を決定した場合、入札の処理を行う。各社の入札期間内の入札額は互いに参照不可能となる。図２７は広告提供装置５と広告取得処理装置４００の契約処理手段４１４との間の入札情報受信プロトコルを示す図である。
【０３０８】
▲１▼  広告提供装置５は、先の広告枠販売画面から購入意思のある枠を指定した後、入札ボタンをクリックする。このクリックは、実際にはＷＥＢページ獲得のためのＨＴＴＰのＧＥＴ要求であり、ＷＥＢ機能をもつ契約処理手段４１４に送られる。
【０３０９】
▲２▼  契約処理手段４２４は、ＧＥＴ要求を受け付けると、広告枠入札画面を構成し、広告提供装置５に送信する。この広告枠入札画面は、広告枠販売画面にて合意した内容を確認されるための表示部分と記入部分とで構成される。表示部分は、広告枠コードを検索キーとし、蓄積装置４５２の広告枠情報データベース４５２ｄから検索する。この検索には例えばＣＧＩを用いて行うこともできる。契約処理手段４２４は、この検索によって得られる表示部分の情報に記入フィールドをマージして広告提供装置５に送信する。
【０３１０】
この表示部分に表示する情報は次の通りである。
【０３１１】
＜表示部分＞
＊  対象期間      ：例  ２００２年２月１日〜２月３１日
＊  対象日時      ：例  ２００２年２月１日  ８時〜８時１５秒
＊  広告タイプ    ：例  映像広告
＊  配信地域      ：例  サンディエゴ
＊  オプション購入：例  ボックス購入
＊  ダイナミック挿入配信価格：事業者により決定する
一方、記入部分には次に掲げる情報の入力フィールドを形成する。
【０３１２】
＜記入部分＞
＊  入札価格
＊  ２次利用許諾権    ：例  有り
＊  ダイナミック配信  ：例  有り
＊  広告コンテンツフォーマット：例  ＡＶＩＤ、ＭＳ、ＷＭＴ等
＊  ターゲット顧客情報：年令層、性別、地域、所得、家族構成その他
ａ）  入札価格
入札価格に最低入札価格を設けることにより、現実味のない入札を排除する。
入札価格は現状のＴＶ型ＧＲＰ（Gross  Rating  Point）に比例させる。ＧＲＰの算出は購入希望広告枠の過去の平均視聴率×ａとする。ａは事業者により決定される。
【０３１３】
ＧＲＰ＝（視聴者数１＋視聴者数２…視聴者数ｎ）／（視聴対象者数１＋視聴対象者数２…視聴対象者数ｎ）
ｂ）  ２次利用許諾権
広告提供装置５からの改編権の有無の確認である。改編権が無くとも例えばバナーの有無により解像度の変更が必要であるなどの広告画面フォーマットへの変換やＣＯＤＥＣの変更は可能であるが、ここでは広告を利用して更に２次著作物を作成してよいかの権利の確認項目を設ける。
【０３１４】
ｃ）  ダイナミック広告、ターゲット顧客情報
ダイナミック広告とは入札されなかった広告枠に対し、取得した広告を挿入する場合を指し、その挿入の条件を決めるのがターゲット顧客情報である。コンテンツ配信装置３００は想定される視聴者がターゲット顧客情報をある程度満足する場合、自動的に挿入される。
【０３１５】
ターゲット顧客情報の構成要素は次のような情報となる。配信期限は広告を自動挿入して配信してよい期限を規定する期間である。
【０３１６】
＜ターゲット顧客情報＞
ターゲット顧客情報は、例えば年令層、性別、地域、所得層、家族構成、配信期限等である。
【０３１７】
ｄ）  広告コンテンツフォーマット
できる限り、無圧縮デジタル広告コンテンツを入手することが必要である。
【０３１８】
なお、本例では、互いに入札額を参照不可能としたが、入札額の経過等に関し、他の入札者にオークション形式で示すことも考えられる。また、価格を入札方式でなく、先の計算で広告料を設定し、その価格で単純に販売することも考えられる。
【０３１９】
▲３▼  広告提供装置５は、広告枠入札画面を受信表示すると、入札価格を最低入札価格以上に設定し、さらにそれ以外の選択項目を選択し、ＨＴＴＰ  ＰＯＳＴ要求にて契約処理手段４１４に送信する。
【０３２０】
▲４▼  契約処理手段４１４は、広告枠コードをキーとし、前述する入力フィールドの内容と入札者情報とを蓄積装置４５２の入札情報データベース４５２ｂに保存する。入札情報データベース４５２ｂ荷は次のような情報が格納されている。
【０３２１】
＜入札情報データベース４５２ｂ＞
＊  広告枠コード
＊  企業コード（入札企業）
＊  入札価格
＊  ２次利用許諾権  ：例  有り
＊  ダイナミック配信：例  有り
＊  広告コンテンツフォーマット
＊  ターゲット顧客情報
８）  契約処理（Ｓ４０８）
広告枠はある期間内で最高額を付けた企業が落札する。落札期限後に落札者、次点、次次点までに通知する。広告購入部４１０の中の契約処理手段４１４は、一定期間が経過した後、広告枠コード毎に入札価格を比較し、最高入札価格、次点者、次次点者を抽出する。
【０３２２】
契約処理手段４１４は、入札価格から落札者を決定した後、入札情報データベース４５２ｂから２次利用許諾権、ターゲット顧客情報等を抽出し、広告枠コードをキーとし、広告枠情報データベース４５２ｄから広告枠に関する情報（チャンネル、日時、地域情報等）を抽出し、落札価格有効期限を明記の上、契約文言を添付してビジネス文書を作成し、メール等により落札企業に送付する。同様の文言を次点者、次次点者であることを明記して、次点者、次次点者である広告提供者の装置５にも送付する。
【０３２３】
広告提供装置５では、契約書にサインした後、電子的に送信し、契約が成立する。契約成立後、契約書には契約書コードを発行する。なお、契約書の送信は郵送で行うことも可能である。
【０３２４】
契約成立後、契約者の企業コードをキーとし、入札情報データベース４５２ｂに保存される情報を利用して販売情報を作成し、販売情報データベース４５２ｃに保存する。この販売情報データベース４５２ｃには次のような情報が格納されている。
【０３２５】
＜販売情報データベース４５２ｃ＞
この販売情報データベース４５２ｃには、企業コード、広告枠コード、契約書コード、広告コンテンツコード（新規発行）、広告コンテンツ情報コード（新規発行）、販売価格、２次利用許諾権（例  有り）、ダイナミック配信（例  有り）、広告コンテンツフォーマット、ターゲット顧客情報等である。
【０３２６】
９）  決済処理（Ｓ４０９）
契約成立後、契約の成立を受けた会計処理手段４１２は、広告提供装置５との間で決済を行う。この決済処理は、外部決済サービス会社である例えば金融機関、クレジット会社所持の端末６を利用する。決済処理に先立ち、広告提供者は決済サービス会社へのサービスの加盟を行っている。従って、会計処理手段４１２は、与信情報データベース４５２ａ及び販売情報データベース４５２ｃから必要な情報を抽出し、決済サービス会社が所持する端末６のプロトコルに従って送信する。
【０３２７】
１０）  広告コンテンツ及び広告コンテンツ情報受信処理（Ｓ４１０）
決算処理終了後、広告提供装置５は、広告取得処理装置４００の広告管理手段４４２に対し、広告コンテンツ及び広告コンテンツ情報を送信する。広告管理手段４４２は、広告コンテンツ及び広告コンテンツ情報を受信し、広告コンテンツデータベース４５２ｅ及び広告コンテンツ情報データベース４５２ｆに保存する。なお、広告コンテンツ及び広告コンテンツ情報の転送にはＴＣＰ／ＩＰやＦＴＰ等のプロトコルが使用される。
【０３２８】
＜広告コンテンツ情報データベース４５２ｆ＞
広告コンテンツ情報データベース４５２ｆには、広告コンテンツコード、広告枠コード、ビデオフォーマット、コンテンツ時間、作成者、作成日時、著作権者、圧縮ＣＯＤＥＣ（無圧縮の場合はｎｕｌｌ）、広告コンテンツのハッシュ値、広告コンテンツの格納先アドレス（格納先のＵＲＬアドレス）、配信期限（ない場合にはｎｕｌｌ）等の広告コンテンツ情報が格納されている。
【０３２９】
なお、広告管理手段４４２側にＷＥＢサーバ機能を設け、広告提供装置５からのＵＲＬによるアクセスにより、前記広告コンテンツ情報である各情報を記入するフィールドをもったＷＥＢページ画面を広告提供装置５に提示し、必要な情報を入力する形態であっても良い。この場合には、広告管理手段４４２は、入力された情報に基づいて広告コンテンツ情報フォーマットの生成を行う。
【０３３０】
１１）  広告コンテンツ・広告コンテンツ情報配信処理（Ｓ４１１）
広告管理手段４４２は、外部装置となるコンテンツ配信装置３００に対し、広告コンテンツ・広告コンテンツ情報を送信する。この送信にはＴＣＰ／ＩＰ、ＦＴＰ等の既存のプロトコルが使用される。
【０３３１】
１２）  エンドユーザへの配信（Ｓ４１２）
コンテンツ配信装置３００は、実際にエンドユーザへの配信を実施する。コンテンツ配信装置３００は、ダイナミックに広告挿入する場合には配信情報（配信回数、配信地域、視聴情報等）を記録しておく。
【０３３２】
１３）  配信情報処理（Ｓ４１３）
この配信情報処理はコンテンツ配信装置３００から配信情報を受信する処理である。図２８は配信情報処理手段４１１とコンテンツ配信装置３００との間の配信情報受信プロトコルを示す図である。
【０３３３】
配信情報処理手段４１１は、コンテンツ配信装置３００からの配信情報を受信し、蓄積装置４５２の配信情報データベース４５２ｇに保存する。
【０３３４】
▲１▼  配信情報処理手段４１１は、定期的に広告コンテンツ情報データベース４５２ｆに格納されている配信期限をチェックし、配信期限が近づいて来た場合には予めコンテンツ配信装置３００に対してその旨を通知しておく。配信期限を経過した場合、コンテンツ配信装置３００に対し、当該広告コンテンツコードとともに配信情報要求を送信する。
【０３３５】
▲２▼  コンテンツ配信装置３００は配信情報を送信する。配信情報には入札広告枠以外に配信したケースの配信回数（ダイナミック広告配信回数）と配信地域情報が含まれている。配信情報処理手段４１１では、広告コンテンツコードをキーとし、配信情報を配信情報データベース４５２ｇに保存する。この配信情報データベース４５２ｇには次の情報が格納されている。
【０３３６】
＜配信情報データベース４５２ｇ＞
＊  広告コンテンツコード
＊  配信回数
＊  配信地域（回数）その他の所要の情報
さらに、配信情報処理手段４１１は、広告コンテンツコードをキーとし、販売情報データベース４５ｃから配信地域等の情報を検索し、配信地域等においてターゲット顧客情報を満足しているかを確認する。満足していない場合にはその旨をコンテンツ配信装置３００に通知し、満足している場合には配信情報データベース４５２ｇに配信回数を記入する。
【０３３７】
▲３▼  配信情報処理手段４１１は、配信情報を受信すると、この受信完了通知をコンテンツ評価装置３００に送信する。さらに、配信情報処理手段４１１は、会計処理手段４１２に対し、広告料の追加徴収することを通知する。
【０３３８】
１４）  追加決済処理（Ｓ４１４）
この追加決済処処理は配信回数に応じた広告料を追加徴収する処理である。広告料金の徴収はステップＳ４０９の決済処理と同様に外部決済機関等が所持する端末６との間で行う。すなわち、会計処理手段４１２は、配信情報データベース４５２ｆに保存される広告コンテンツコードと配信回数とに基づき、配信回数×ｑ（ｑは事業者が決定する）なる追加広告料を外部決済機関等が所持する端末６を経由して広告提供者等から徴収する。
【０３３９】
従って、以上のような広告取得処理装置４００の実施の形態によれば、コンテンツ配信装置３００で作成される広告枠情報から広告枠販売情報を作成し、広告提供装置５に開示し、広告提供者に対して広告を挿入する広告枠を販売し、契約処理完了後に広告提供装置５から広告コンテンツ及び広告コンテンツ情報を取得し、番組の広告枠に広告コンテンツと広告とを組み入れて視聴者装置２に配信し、初期の契約時の広告料と配信回数に伴う追加徴収を計算し、これら広告料及び追加徴収料に基づいてコンテンツ提供装置４及び視聴者装置２に還元するので、優良なコンテンツ及び広告の供給の促進の他、広告視聴に対する貢献度に応じてコンテンツ提供装置４及び視聴者装置２に適切に還元することができる。
【０３４０】
なお、各装置１００〜４００は、それぞれ個別に保存管理処理部１５０、２４０、３６０、４５０を設けたが、ネットワーク装置１または各装置１００〜４００に接続される企業ＬＡＮにデータベースサーバを設置し、各装置１００〜４００間で共有使用する構成であってもよい（図１参照）。
【０３４１】
なお、本願発明は、上記実施の形態に限定されるものでなく、その要旨を逸脱しない範囲で種々変形して実施できる。また、各実施の形態は可能な限り組み合わせて実施することが可能であり、その場合には組み合わせによる効果が得られる。さらに、上記各実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【０３４２】
【発明の効果】
以上説明したように本発明によれば、優良なコンテンツの買付けや広告枠販売による広告挿入によるコンテンツの配信により、優良なコンテンツや広告の供給を促進する電子商品流通システム、電子商品流通方法及びプログラムを提供できる。
【０３４３】
また、本発明は、視聴者、コンテンツ提供者、システム運営者がそれぞれ広告販売に伴って取得する利益を広告視聴に対する貢献度に応じて適切に還元可能な電子商品流通システム、電子商品流通方法及びプログラムを提供できる。
【図面の簡単な説明】
【図１】  本発明の一実施の形態である電子商品流通システムを備えたネットワークシステムの系統構成図。
【図２】  図１に示す電子商品流通システムの動作及び本発明の一実施の形態である電子商品流通方法を説明する図。
【図３】  図２に続く電子商品流通システムの動作及び本発明の一実施の形態である電子商品流通方法を説明する図。
【図４】  図１に示す電子商品流通システムを用いた場合の広告付きコンテンツの販売モデルを説明する図。
【図５】  図１に示す電子商品流通システムの一構成要素となる一実施の形態に係わるコンテンツ買付装置の構成図。
【図６】  コンテンツ買付装置の一処理例を説明するフローチャート。
【図７】  図１に示す電子商品流通システムの一構成要素となる一実施の形態に係わるコンテンツ評価装置の構成図。
【図８】  コンテンツ評価装置の一処理例を説明するフローチャート。
【図９】  図１に示す電子商品流通システムの一構成要素となる一実施の形態に係わるコンテンツ配信装置の構成図。
【図１０】  コンテンツ配信装置のコンテンツ処理部におけるコンテンツ情報及びコンテンツの入手処理及びコンテンツ評価装置から視聴統計情報を取得するため説明図。
【図１１】  コンテンツ配信装置のコンテンツ処理部における課金情報入手の説明図。
【図１２】  コンテンツ配信装置の広告処理部における処理の一例を説明するフローチャート。
【図１３】  コンテンツ配信装置のコンテンツ−広告処理部における処理の一例を説明するフローチャート。
【図１４】  コンテンツ配信装置におけるコンテンツ選択促進部の処理の一例を説明するフローチャート。
【図１５】  コンテンツ配信装置におけるコンテンツ−広告配信部の処理の一例を説明するフローチャート。
【図１６】  図１に示す電子商品流通システムの一構成要素となる一実施の形態に係わる広告取得処理装置の構成図。
【図１７】  ネットワーク装置に接続される一実施の形態に係わる広告提供装置の構成図。
【図１８】  広告取得処理装置の処理の一例を説明するフローチャート。
【図１９】  図１８に続く広告取得処理装置の処理の一例を説明するフローチャート。
【図２０】  広告取得処理装置がコンテンツ配信装置から広告枠情報を受信するプロトコルの一例を示す図。
【図２１】  広告挿入ポイントモデル図。
【図２２】  広告取得処理装置における与信情報の入手プロトコルの一例を示す図。
【図２３】  広告取得処理装置における広告枠情報の表示プロトコルの一例を示す図。
【図２４】  広告提供装置の表示部に表示される広告枠購入画面の一例を示す図。
【図２５】  視聴者装置のモニタに表示されるコンテンツ及び広告の表示画面の一例を示す図。
【図２６】  広告取得処理装置から広告提供装置に対し視聴情報を開示するプロトコルの一例を示す図。
【図２７】  広告提供装置が広告取得処理装置から入札情報を受信するプロトコルの一例を示す図。
【図２８】  コンテンツ配信装置が広告取得処理装置から配信情報を受信するためのシーケンス図。
【符号の説明】
１…ネットワーク装置
２…視聴者装置
３…電子商品流通システム
４…コンテンツ提供装置
５…広告提供装置
１００…コンテンツ評価装置
１１０…評価／分析管理処理部
１２０…データ収集処理部
１３０…データ分析処理部
１４０…データ報告処理部
１５０…保存管理処理部
２００…コンテンツ買付装置
２１０…契約・購買管理処理部
２２０…入荷管理処理部
２３０…会計管理処理部
２４０…保存管理処理部
３００…コンテンツ配信装置
３１０…コンテンツ処理部
３２０…広告処理部
３３０…コンテンツ−広告処理部
３４０…コンテンツ選択促進部
３５０…コンテンツ−広告処理部
３６０…保存管理処理部
４００…広告取得処理装置
４１０…広告購入部
４２０…視聴情報提供部
４３０…広告情報提供部
４４０…広告転送部
４５０…保存管理処理部
【図１】
0004005820.tif 000004
【図２】
0004005820.tif 000005
【図３】
0004005820.tif 000006
【図４】
0004005820.tif 000007
【図５】
0004005820.tif 000008
【図６】
0004005820.tif 000009
【図７】
0004005820.tif 000010
【図８】
0004005820.tif 000011
【図９】
0004005820.tif 000012
【図１０】
0004005820.tif 000013
【図１１】
0004005820.tif 000014
【図１２】
0004005820.tif 000015
【図１３】
0004005820.tif 000016
【図１４】
0004005820.tif 000017
【図１５】
0004005820.tif 000018
【図１６】
0004005820.tif 000019
【図１７】
0004005820.tif 000020
【図１８】
0004005820.tif 000021
【図１９】
0004005820.tif 000022
【図２０】
0004005820.tif 000023
【図２１】
0004005820.tif 000024
【図２２】
0004005820.tif 000025
【図２３】
0004005820.tif 000026
【図２４】
0004005820.tif 000027
【図２５】
0004005820.tif 000028
【図２６】
0004005820.tif 000029
【図２７】
0004005820.tif 000030
【図２８】
0004005820.tif 000031